(57)【要約】【課題】物流施設に関し、該施設を実際に使用した分に応じて、単純かつ明確な課金することを可能とするとともに、単に使用した時間、処理物品数のみならず、施設に加わる加重よる影響に応じた課金を可能とする。【解決手段】物品をピッキング処理するために要した時間を集計して、この集計結果応じた課金金額を賃料とする。あるいは、物品を取り扱う物品数量を集計して、この集計結果した数量応じて課金金額を賃料とする。または、物品を収納する容器数量を集計して、この集計結果応じて課金金額を賃料とする。さらに、上記賃料とは別に、取扱う物品が一定重量を超えると、この超過重量結果に応じて課金金額を賃料とする。【選択図】図１
2019091117.tif 000002
【特許請求の範囲】
【請求項１】
物流の入荷、検品、保管、加工、仕分け、荷揃え、搬送、梱包、発送の各作業を行う装置及び／もしくは前記各装置を管理するための装置を稼働させて物品を物流経路に載せるためのシステムを備えた物流施設において、
前記物流施設の前記各装置の稼働実績に基づいて課金処理する手段
を備えることを特徴とする物流課金処理システム。
【請求項２】
物流の入荷、検品、保管、加工、仕分け、荷揃え、搬送、梱包、発送の各作業を行う装置及び／もしくは前記各装置を管理するための装置を稼働させて物品を物流経路に載せるためのシステムを備えた物流施設において、
前記物流施設の前記各装置の稼働実績に基づいて課金処理する
ことを備えることを特徴とする物流課金処理システムの制御方法。
【請求項３】
物流の入荷、検品、保管、加工、仕分け、荷揃え、搬送、梱包、発送の各作業を行う装置及び／もしくは前記各装置を管理するための装置を稼働させて物品を物流経路に載せるためのシステムを備えた物流施設において、
前記物流施設の前記各装置の稼働実績に基づいて課金処理する手段
として動作させることを備えることを特徴とする物流課金処理システムのプログラム。
【請求項４】
請求項３記載のプログラムを搭載した記録媒体。
【請求項５】
少なくとも管理サーバ及び管理データベースを有する管理システム並びにピッキング制御サーバ及びピッキング制御データベースを有するピッキング制御システムを備えてなる物流施設における施設使用料を算出する物流課金処理システムにおいて、
前記物流課金処理システムにおける物品をピッキング処理するために要する時間ごとに課金する施設賃料情報を前記管理サーバにより管理データベース及び／もしくは前記ピッキング制御サーバによりピッキング制御データベースに第１の記憶として格納する手段と、
前記物流課金処理システムにおいて取り扱う物品がピッキング処理に要した時間を集計する手段と、
前記算出した時間情報を前記管理サーバにより管理データベース及び／もしくは前記ピッキング制御サーバによりピッキング制御データベースに第２の記憶として格納する手段と、
前記第１の記憶情報と第２の記憶情報とから課金金額を算出する手段と、
前記算出した課金金額を前記管理サーバにより管理データベース及び／もしくは前記ピッキング制御サーバによりピッキング制御データベースに第３の記憶として格納する手段と
をさらに備えたことを特徴とする請求項１記載の物流課金処理システム。
【請求項６】
前記第１、２、３の記憶として格納した情報のうち少なくとも１つを表示する手段
をさらに備えたことを特徴とする請求項５記載の物流課金処理システム。
【請求項７】
前記物流課金処理システムにおいて、
取扱う物品が一定重量を超えると課金する施設賃料情報を前記管理サーバにより管理データベース及び／もしくは前記ピッキング制御サーバによりピッキング制御データベースに第４の記憶として格納する手段と、
前記物流課金処理システムにおいて取り扱う物品の重量を計測する手段と、
前記計測した情報を前記管理サーバにより管理データベース及び／もしくは前記ピッキング制御サーバによりピッキング制御データベースに第５の記憶として格納する手段と、
前記第４の記憶情報と第５の記憶情報とから課金金額を算出する手段と、
前記算出した課金金額を前記管理サーバにより管理データベース及び／もしくは前記ピッキング制御サーバによりピッキング制御データベースに第６の記憶として格納する手段と
をさらに備えたことを特徴とする請求項５記載の物流課金処理システム。
【請求項８】
前記第４、５、６の記憶として格納した情報のうち少なくとも１つを表示する手段
をさらに備えたことを特徴とする請求項７記載の物流課金処理システム。
【請求項９】
少なくとも管理サーバ及び管理データベースを有する管理システム並びにピッキング制御サーバ及びピッキング制御データベースを有するピッキング制御システムを備えてなる物流施設における施設使用料を算出する物流課金処理システムにおいて、
前記物流課金処理システムにおける物品をピッキング処理するために要する時間ごとに課金する施設賃料情報を前記管理サーバにより管理データベース及び／もしくは前記ピッキング制御サーバによりピッキング制御データベースに第１の記憶として格納し、
前記物流課金処理システムにおいて取り扱う物品がピッキング処理に要した時間を集計し、
前記算出した時間情報を前記管理サーバにより管理データベース及び／もしくは前記ピッキング制御サーバによりピッキング制御データベースに第２の記憶として格納し、
前記第１の記憶情報と第２の記憶情報とから課金金額を算出し、
前記算出した課金金額を前記管理サーバにより管理データベース及び／もしくは前記ピッキング制御サーバによりピッキング制御データベースに第３の記憶として格納する
ことをさらに備えたことを特徴とする請求項２記載の物流課金処理システムの制御方法。
【請求項１０】
前記第１、２、３の記憶として格納した情報のうち少なくとも１つを表示する
ことをさらに備えたことを特徴とする請求項９記載の物流課金処理システムの制御方法。
【請求項１１】
前記物流課金処理システムにおいて、
取扱う物品が一定重量を超えると課金する施設賃料情報を前記管理サーバにより管理データベース及び／もしくは前記ピッキング制御サーバによりピッキング制御データベースに第４の記憶として格納し、
前記物流課金処理システムにおいて取り扱う物品の重量を計測し、
前記計測した情報を前記管理サーバにより管理データベース及び／もしくは前記ピッキング制御サーバによりピッキング制御データベースに第５の記憶として格納し、
前記第４の記憶情報と第５の記憶情報とから課金金額を算出し、
前記算出した課金金額を前記管理サーバにより管理データベース及び／もしくは前記ピッキング制御サーバによりピッキング制御データベースに第６の記憶として格納する
ことをさらに備えたことを特徴とする請求項９記載の物流課金処理システムの制御方法。
【請求項１２】
前記第４、５、６の記憶として格納した情報のうち少なくとも１つを表示する
ことをさらに備えたことを特徴とする請求項１１記載の物流課金処理システムの制御方法。
【請求項１３】
少なくとも管理サーバ及び管理データベースを有する管理システム並びにピッキング制御サーバ及びピッキング制御データベースを有するピッキング制御システムを備えてなる物流施設における施設使用料を算出する物流課金処理システムにおいて、
前記物流課金処理システムにおける物品をピッキング処理するために要する時間ごとに課金する施設賃料情報を前記管理サーバにより管理データベース及び／もしくは前記ピッキング制御サーバによりピッキング制御データベースに第１の記憶として格納する手段と、
前記物流課金処理システムにおいて取り扱う物品がピッキング処理に要した時間を集計する手段と、
前記算出した時間情報を前記管理サーバにより管理データベース及び／もしくは前記ピッキング制御サーバによりピッキング制御データベースに第２の記憶として格納する手段と、
前記第１の記憶情報と第２の記憶情報とから課金金額を算出する手段と、
前記算出した課金金額を前記管理サーバにより管理データベース及び／もしくは前記ピッキング制御サーバによりピッキング制御データベースに第３の記憶として格納する手段と
として動作させることをさらに備えることを特徴とする請求項３記載の物流課金処理システムのプログラム。
【請求項１４】
前記第１、２、３の記憶として格納した情報のうち少なくとも１つを表示する手段
として動作させることをさらに備えることを特徴とする請求項１３記載の物流課金処理システムのプログラム。
【請求項１５】
前記物流課金処理システムにおいて、
取扱う物品が一定重量を超えると課金する施設賃料情報を前記管理サーバにより管理データベース及び／もしくは前記ピッキング制御サーバによりピッキング制御データベースに第４の記憶として格納する手段と、
前記物流課金処理システムにおいて取り扱う物品の重量を計測する手段と、
前記計測した情報を前記管理サーバにより管理データベース及び／もしくは前記ピッキング制御サーバによりピッキング制御データベースに第５の記憶として格納する手段と、
前記第４の記憶情報と第５の記憶情報とから課金金額を算出する手段と、
前記算出した課金金額を前記管理サーバにより管理データベース及び／もしくは前記ピッキング制御サーバによりピッキング制御データベースに第６の記憶として格納する手段と
としてさらに動作させることを備えることを特徴とする請求項１３記載の物流課金処理システムのプログラム。
【請求項１６】
前記第４、５、６の記憶として格納した情報のうち少なくとも１つを表示する手段
として動作させることをさらに備えることを特徴とする請求項１５記載の物流課金処理システムのプログラム。
【請求項１７】
請求項１３〜１６のうちいずれか１項記載のプログラムを搭載した記録媒体。
【請求項１８】
少なくとも管理サーバ及び管理データベースを有する管理システム並びにピッキング制御サーバ及びピッキング制御データベースを有するピッキング制御システムを備えてなる物流施設における施設使用料を算出する物流課金処理システムにおいて、
前記物流課金処理システムが物品を処理するごとに課金する施設賃料情報を前記管理サーバにより管理データベース及び／もしくは前記ピッキング制御サーバによりピッキング制御データベースに第７の記憶として格納する手段と、
前記物流課金処理システムにおいて取り扱う物品数量を集計する手段と、
前記集計した数量情報を前記管理サーバにより管理データベース及び／もしくは前記ピッキング制御サーバによりピッキング制御データベースに第８の記憶として格納する手段と、
前記第７の記憶情報と第８の記憶情報とから課金金額を集計する手段と、
前記算出した課金金額を前記管理サーバにより管理データベース及び／もしくは前記ピッキング制御サーバによりピッキング制御データベースに第９の記憶として格納する手段と
をさらに備えたことを特徴とする請求項１記載の物流課金処理システム。
【請求項１９】
前記第７、８、９の記憶として格納した情報のうち少なくとも１つを表示する手段
をさらに備えたことを特徴とする請求項１８記載の物流課金処理システム。
【請求項２０】
前記物流課金処理システムにおいて、
取扱う物品が一定重量を超えると課金する施設賃料情報を前記管理サーバにより管理データベース及び／もしくは前記ピッキング制御サーバによりピッキング制御データベースに第１０の記憶として格納する手段と、
前記物流課金処理システムにおいて取り扱う物品の重量を計測する手段と、
前記計測した情報を前記管理サーバにより管理データベース及び／もしくは前記ピッキング制御サーバによりピッキング制御データベースに第１１の記憶として格納する手段と、
前記第１０の記憶情報と第１１の記憶情報とから課金金額を算出する手段と、
前記算出した課金金額を前記管理サーバにより管理データベース及び／もしくは前記ピッキング制御サーバによりピッキング制御データベースに第１２の記憶として格納する手段と
をさらに備えたことを特徴とする請求項１８記載の物流課金処理システム。
【請求項２１】
前記第１０、１１、１２の記憶として格納した情報のうち少なくとも１つを表示する手段
をさらに備えたことを特徴とする請求項２０記載の物流課金処理システム。
【請求項２２】
少なくとも管理サーバ及び管理データベースを有する管理システム並びにピッキング制御サーバ及びピッキング制御データベースを有するピッキング制御システムを備えてなる物流施設における施設使用料を算出する物流課金処理システムにおいて、
前記物流課金処理システムが物品を処理するごとに課金する施設賃料情報を前記管理サーバにより管理データベース及び／もしくは前記ピッキング制御サーバによりピッキング制御データベースに第７の記憶として格納し、
前記物流課金処理システムにおいて取り扱う物品数量を集計し、
前記集計した数量情報を前記管理サーバにより管理データベース及び／もしくは前記ピッキング制御サーバによりピッキング制御データベースに第８の記憶として格納し、
前記第７の記憶情報と第８の記憶情報とから課金金額を集計し、
前記算出した課金金額を前記管理サーバにより管理データベース及び／もしくは前記ピッキング制御サーバによりピッキング制御データベースに第９の記憶として格納する
ことをさらに備えたことを特徴とする請求項２記載の物流課金処理システムの制御方法。
【請求項２３】
前記第７、８、９の記憶として格納した情報のうち少なくとも１つを表示する
ことをさらに備えたことを特徴とする請求項２２記載の物流課金処理システムの制御方法。
【請求項２４】
前記物流課金処理システムにおいて、
取扱う物品が一定重量を超えると課金する施設賃料情報を前記管理サーバにより管理データベース及び／もしくは前記ピッキング制御サーバによりピッキング制御データベースに第１０の記憶として格納し、
前記物流課金処理システムにおいて取り扱う物品の重量を計測し、
前記計測した情報を前記管理サーバにより管理データベース及び／もしくは前記ピッキング制御サーバによりピッキング制御データベースに第１１の記憶として格納し、
前記第１０の記憶情報と第１１の記憶情報とから課金金額を算出し、
前記算出した課金金額を前記管理サーバにより管理データベース及び／もしくは前記ピッキング制御サーバによりピッキング制御データベースに第１２の記憶として格納する
ことをさらに備えたことを特徴とする請求項２２記載の物流課金処理システムの制御方法。
【請求項２５】
前記第１０、１１、１２の記憶として格納した情報のうち少なくとも１つを表示する
ことをさらに備えたことを特徴とする請求項２４記載の物流課金処理システムの制御方法。
【請求項２６】
少なくとも管理サーバ及び管理データベースを有する管理システム並びにピッキング制御サーバ及びピッキング制御データベースを有するピッキング制御システムを備えてなる物流施設における施設使用料を算出する物流課金処理システムにおいて、
前記物流課金処理システムが物品を処理するごとに課金する施設賃料を算出する手段と、
前記算出した課金する施設賃料情報を前記管理サーバにより管理データベース及び／もしくは前記ピッキング制御サーバによりピッキング制御データベースに第７の記憶として格納する手段と、
前記物流課金処理システムにおいて取り扱う物品数量を集計する手段と、
前記集計した数量情報を前記管理サーバにより管理データベース及び／もしくは前記ピッキング制御サーバによりピッキング制御データベースに第８の記憶として格納する手段と、
前記第７の記憶情報と第８の記憶情報とから課金金額を集計する手段と、
前記算出した課金金額を前記管理サーバにより管理データベース及び／もしくは前記ピッキング制御サーバによりピッキング制御データベースに第９の記憶として格納する手段と
としてさらに動作させることを備えることを特徴とする請求項３記載の物流課金処理システムのプログラム。
【請求項２７】
前記第７、８、９の記憶として格納した情報のうち少なくとも１つを表示する手段
として動作させることをさらに備えることを特徴とする請求項２６記載の物流課金処理システムのプログラム。
【請求項２８】
前記物流課金処理システムにおいて、
取扱う物品が一定重量を超えると課金する施設賃料情報を前記管理サーバにより管理データベース及び／もしくは前記ピッキング制御サーバによりピッキング制御データベースに第１０の記憶として格納する手段と、
前記物流課金処理システムにおいて取り扱う物品の重量を計測する手段と、
前記計測した情報を前記管理サーバにより管理データベース及び／もしくは前記ピッキング制御サーバによりピッキング制御データベースに第１１の記憶として格納する手段と、
前記第１０の記憶情報と第１１の記憶情報とから課金金額を算出する手段と、
前記算出した課金金額を前記管理サーバにより管理データベース及び／もしくは前記ピッキング制御サーバによりピッキング制御データベースに第１２の記憶として格納する手段と
としてさらに動作させることを備えることを特徴とする請求項２６記載の物流課金処理システムのプログラム。
【請求項２９】
前記第１０、１１、１２の記憶として格納した情報のうち少なくとも１つを表示する手段
として動作させることをさらに備えることを特徴とする請求項２８記載の物流課金処理システムのプログラム。
【請求項３０】
請求項２６〜２９のうちいずれか１項記載のプログラムを搭載した記録媒体。
【請求項３１】
少なくとも管理サーバ及び管理データベースを有する管理システム並びにピッキング制御サーバ及びピッキング制御データベースを有するピッキング制御システムを備えてなる物流施設における施設使用料を算出する物流課金処理システムにおいて、
前記物流課金処理システムが物品容器を処理するごとに課金する施設賃料情報を前記管理サーバにより管理データベース及び／もしくは前記ピッキング制御サーバによりピッキング制御データベースに第１３の記憶として格納する手段と、
前記物流課金処理システムにおいて取り扱う物品容器数量を集計する手段と、
前記集計した数量情報を前記管理サーバにより管理データベース及び／もしくは前記ピッキング制御サーバによりピッキング制御データベースに第１４の記憶として格納する手段と、
前記第１３の記憶情報と第１４の記憶情報とから課金金額を集計する手段と、
前記算出した課金金額を前記管理サーバにより管理データベース及び／もしくは前記ピッキング制御サーバによりピッキング制御データベースに第１５の記憶として格納する手段と
をさらに備えたことを特徴とする請求項１記載の物流課金処理システム。
【請求項３２】
前記第１３、１４、１５の記憶として格納した情報のうち少なくとも１つを表示する手段
をさらに備えたことを特徴とする請求項３１記載の物流課金処理システム。
【請求項３３】
前記物流課金処理システムにおいて、
取扱う物品が一定重量を超えると課金する施設賃料情報を前記管理サーバにより管理データベース及び／もしくは前記ピッキング制御サーバによりピッキング制御データベースに第１６の記憶として格納する手段と、
前記物流課金処理システムにおいて取り扱う物品の重量を計測する手段と、
前記計測した情報を前記管理サーバにより管理データベース及び／もしくは前記ピッキング制御サーバによりピッキング制御データベースに第１７の記憶として格納する手段と、
前記第１６の記憶情報と第１７の記憶情報とから課金金額を算出する手段と、
前記算出した課金金額を前記管理サーバにより管理データベース及び／もしくは前記ピッキング制御サーバによりピッキング制御データベースに第１８の記憶として格納する手段と
をさらに備えたことを特徴とする請求項３１記載の物流課金処理システム。
【請求項３４】
前記第１６、１７、１８の記憶として格納した情報のうち少なくとも１つを表示する手段
をさらに備えたことを特徴とする請求項３３記載の物流課金処理システム。
【請求項３５】
少なくとも管理サーバ及び管理データベースを有する管理システム並びにピッキング制御サーバ及びピッキング制御データベースを有するピッキング制御システムを備えてなる物流施設における施設使用料を算出する物流課金処理システムにおいて、
前記物流課金処理システムが物品容器を処理するごとに課金する施設賃料情報を前記管理サーバにより管理データベース及び／もしくは前記ピッキング制御サーバによりピッキング制御データベースに第１３の記憶として格納し、
前記物流課金処理システムにおいて取り扱う物品容器数量を集計し、
前記集計した数量情報を前記管理サーバにより管理データベース及び／もしくは前記ピッキング制御サーバによりピッキング制御データベースに第１４の記憶として格納し、
前記第１３の記憶情報と第１４の記憶情報とから課金金額を集計し、
前記算出した課金金額を前記管理サーバにより管理データベース及び／もしくは前記ピッキング制御サーバによりピッキング制御データベースに第１５の記憶として格納する
ことをさらに備えたことを特徴とする請求項２記載の物流課金処理システムの制御方法。
【請求項３６】
前記第１３、１４、１５の記憶として格納した情報のうち少なくとも１つを表示する
ことをさらに備えたことを特徴とする請求項３５記載の物流課金処理システムの制御方法。
【請求項３７】
前記物流課金処理システムにおいて、
取扱う物品が一定重量を超えると課金する施設賃料情報を前記管理サーバにより管理データベース及び／もしくは前記ピッキング制御サーバによりピッキング制御データベースに第１６の記憶として格納し、
前記物流課金処理システムにおいて取り扱う物品の重量を計測し、
前記計測した情報を前記管理サーバにより管理データベース及び／もしくは前記ピッキング制御サーバによりピッキング制御データベースに第１７の記憶として格納し、
前記第１６の記憶情報と第１７の記憶情報とから課金金額を算出し、
前記算出した課金金額を前記管理サーバにより管理データベース及び／もしくは前記ピッキング制御サーバによりピッキング制御データベースに第１８の記憶として格納する
ことをさらに備えたことを特徴とする請求項３５記載の物流課金処理システムの制御方法。
【請求項３８】
前記第１６、１７、１８の記憶として格納した情報のうち少なくとも１つを表示する
ことをさらに備えたことを特徴とする請求項３７記載の物流課金処理システムの制御方法。
【請求項３９】
少なくとも管理サーバ及び管理データベースを有する管理システム並びにピッキング制御サーバ及びピッキング制御データベースを有するピッキング制御システムを備えてなる物流施設における施設使用料を算出する物流課金処理システムにおいて、
前記物流課金処理システムが物品容器を処理するごとに課金する施設賃料情報を前記管理サーバにより管理データベース及び／もしくは前記ピッキング制御サーバによりピッキング制御データベースに第１３の記憶として格納する手段と、
前記物流課金処理システムにおいて取り扱う物品容器数量を集計する手段と、
前記集計した数量情報を前記管理サーバにより管理データベース及び／もしくは前記ピッキング制御サーバによりピッキング制御データベースに第１４の記憶として格納する手段と、
前記第１３の記憶情報と第１４の記憶情報とから課金金額を集計する手段と、
前記算出した課金金額を前記管理サーバにより管理データベース及び／もしくは前記ピッキング制御サーバによりピッキング制御データベースに第１５の記憶として格納する手段と
としてさらに動作させることを備えることを特徴とする請求項３記載の物流課金処理システムのプログラム。
【請求項４０】
前記第１３、１４、１５の記憶として格納した情報のうち少なくとも１つを表示する手段
として動作させることをさらに備えることを特徴とする請求項３９記載の物流課金処理システムのプログラム。
【請求項４１】
前記物流課金処理システムにおいて、
取扱う物品が一定重量を超えると課金する施設賃料情報を前記管理サーバにより管理データベース及び／もしくは前記ピッキング制御サーバによりピッキング制御データベースに第１６の記憶として格納する手段と、
前記物流課金処理システムにおいて取り扱う物品の重量を計測する手段と、
前記計測した情報を前記管理サーバにより管理データベース及び／もしくは前記ピッキング制御サーバによりピッキング制御データベースに第１７の記憶として格納する手段と、
前記第１６の記憶情報と第１７の記憶情報とから課金金額を算出する手段と、
前記算出した課金金額を前記管理サーバにより管理データベース及び／もしくは前記ピッキング制御サーバによりピッキング制御データベースに第１８の記憶として格納する手段と
としてさらに動作させることを備えることを特徴とする請求項３９記載の物流課金処理システムのプログラム。
【請求項４２】
前記第１６、１７、１８の記憶として格納した情報のうち少なくとも１つを表示する手段
として動作させることをさらに備えることを特徴とする請求項４１記載の物流課金処理システムのプログラム。
【請求項４３】
請求項３９〜４２のうちいずれか１項記載のプログラムを搭載した記録媒体。
【発明の詳細な説明】
【技術分野】
【０００１】
本発明は、物流施設における施設使用費用を施設使用頻度に応じて使用した分を課金する課金処理するシステムに係る、物流課金処理システム、物流課金処理システムの制御方法、物流課金処理システムのプログラム及び記録媒体に関する。
【背景技術】
【０００２】
昨今の日本における経済状況は、政権交代後において積極的な財政発動を続けているものの、バブル崩壊後の混乱をいまだ脱することができず、さらにバブル期に増加した過剰な企業設備を適正な水準に引き下げるための処理等を先送りするだけで、実情は企業設備が削減されず、その結果、企業設備の過剰状態が続いたままとなっている。さらに、バブル期以降の日本経済が、統計上実質マイナス成長を続けていることもあり、企業設備の新設に消極的な立場をとる経営者が多数を占めている。
【０００３】
しかしながら、たとえ過剰な企業設備を抱えているからといって、設備の新設が不要である理由とはならず、また旧来の設備によってすべての新規事業に対応することが可能であるわけでもない。そのため、場合によって企業施設の新設が事業展開に不可欠であることは、決して珍しいことではない。しかしながら、そのような場合であっても、今後の日本経済が実質マイナス成長となる可能性を払拭できない状況を続けていることから、新規企業設備を自前の資産として所有することは、多くのリスクを抱えることとなる。そのため、例えば企業設備をリース資産とすることにより、上記リスクの軽減をはかろうという選択肢はあるものの、リース会計に関する基準の改訂により、特に一定規模以上の企業にとっては、かつてのリース会計処理による恩恵とは程遠く、実質資産を保有する場合と大差ないこととなってしまう。
【０００４】
一方、企業向けの設備を開発、製造する企業においても、このようなリース会計基準の改訂によって、設備の新設が減少することにより、業績面において少なからぬ影響を受けている。さらに、例えば物流分野のように、昨今の新規参入企業を含めた設備新設、増強の要求が強い分野においては、新規設備を導入したいが、実質的な所有資産の増加は極力抑えたいという経営陣の切実な声が、物流設備の製造会社にも寄せられている。他方、昨今の流通現場において、例えば３ＰＬと称するサード・パーティ・ロジスティックスに代表されるように、物流業務の工程を一括して提供する事業体等が出現している。ただし、このような３ＰＬが、結果として物流業務に要する経費を削減してくれるかどうか、かならずしも確証があるわけではない。一方で、このように荷主が物流設備の機能利用にのみに注目し、かならずしも資産所有を前提としない発想からは、とかく施設導入後の設備メンテナンス等への関心も薄れ、結果として安定した設備稼働に支障をきたす恐れもある。このような社会および経済情勢に鑑み、本願発明者は、設備の自社所有でも、リースによる会計処理でも、３ＰＬでもない、第三の対応処理として、例えば物流施設の新設費用をファンド等による投資によって充当し、施設を使用する企業等に対しては、実際に物流施設を使用した分に応じて課金する物流課金処理システムを思いつくに至った。
【０００５】
以上、物流分野および物流施設の製造会社における諸事情について説明したが、さらに、さまざまな対応が求められる。特に本願に関いては、課金において、単純で明確な基準設定が求められる。
【０００６】
このような、新規設備の導入において、導入企業の資産増加を抑えたいという要求に鑑み、さまざまな手法を用いて、不動産投資を将来に渡り的確に把握する技術的思想がすでに開示されている。
【先行技術文献】
【特許文献】
【０００７】
【特許文献１】特開２００６−１６８８８５号公報
【特許文献２】特開２００１−２５６５８６号公報
【発明の概要】
【発明が解決しようとする課題】
【０００８】
複数の物流関連企業を有する、例えば大型店舗に対する調理食品の搬送において、大型店舗等での駐車スペースの問題や、近隣の交通渋滞や騒音の発生等の課題を解決するための搬送管理システムとしては、例えば特開２００６−１６８８８５号公報において公開されているように、複数の物流関連企業からの例えば大型店舗に対する調理食品の搬送を、通い容器を用い、物流センタを通して一括して行う構成とすることにより、駐車スペースや、交通渋滞、騒音の発生等の問題を解決し、さらに通い容器や保温保持材を再利用することにより省資源を図ると共に、レンタル品として構成することにより、物流システムを安価に提供できる技術思想がすでに開示されているが、通い容器や保温保持材等を除く、物流施設そのものに関し、本願におけるように、使用した分に応じて課金することについては、具体的な開示がなされていなかった。
【０００９】
次に、複数の物流関連企業に、運行管理及び又は運行計画に有効な物流業者宛情報サービスシステムとしては、例えば特開２００１−２５６５８６号公報において公開されているように、物流業者からなる複数の会員企業と、物流情報センタと、各会員企業に所属する物流車両とを有し、該物流車両は交通情報の取得に必要な所定情報を、物流情報センタに送信する車載端末を備え、物流情報センタは、車載端末からの所定情報に基づいて交通情報を得る交通流データ処理装置と、会員企業の車載端末からの所定情報及び又は交通流データ処理装置が得た交通情報を蓄積する交通流データ蓄積装置と、蓄積されたデータに基づいて交通流データを予測する交通流予測処理装置とを備え、会員企業は、物流情報センタで得られた全て又は一部の情報に基づいて、運行管理や運行計画処理を行う技術的思想がすでに開示され、会員企業の会員料やサービス提供対価に関し言及しているものの、具体的な技術的思想に関しては開示がなされていなかった。
【００１０】
本願はこうした問題点を解決することを企図したものであり、物流施設を使用する企業に対し、実際に物流施設を使用した分に応じて、単純明確な基準により課金することを可能とすることにある。
【課題を解決するための手段】
【００１１】
このように上記課題を解決するため、本願は物流施設を使用した分に応じて、単純明確な基準により課金することの有用性に着目する。即ち、本発明に係る物流課金処理システムに関しては、
物流の入荷、検品、保管、加工、仕分け、荷揃え、搬送、梱包、発送の各作業を行う装置及び／もしくは前記各装置を管理するための装置を稼働させて物品を物流経路に載せるためのシステムを備えた物流施設において、
前記物流施設の前記各装置の稼働実績に基づいて課金処理する手段
を備える。
さらに、
少なくとも管理サーバ及び管理データベースを有する管理システム並びにピッキング制御サーバ及びピッキング制御データベースを有するピッキング制御システムを備えてなる物流施設における施設使用料を算出する物流課金処理システムにおいて、
前記物流課金処理システムにおける物品をピッキング処理するために要する時間ごとに課金する施設賃料情報を前記管理サーバにより管理データベース及び／もしくは前記ピッキング制御サーバによりピッキング制御データベースに第１の記憶として格納する手段と、
前記物流課金処理システムにおいて取り扱う物品がピッキング処理に要した時間を集計する手段と、
前記算出した時間情報を前記管理サーバにより管理データベース及び／もしくは前記ピッキング制御サーバによりピッキング制御データベースに第２の記憶として格納する手段と、
前記第１の記憶情報と第２の記憶情報とから課金金額を算出する手段と、
前記算出した課金金額を前記管理サーバにより管理データベース及び／もしくは前記ピッキング制御サーバによりピッキング制御データベースに第３の記憶として格納する手段と
をさらに備える。
またさらに、
前記第１、２、３の記憶として格納した情報のうち少なくとも１つを表示する手段
をさらに備える。
【００１２】
また、
前記物流課金処理システムにおいて、
取扱う物品が一定重量を超えると課金する施設賃料情報を前記管理サーバにより管理データベース及び／もしくは前記ピッキング制御サーバによりピッキング制御データベースに第４の記憶として格納する手段と、
前記物流課金処理システムにおいて取り扱う物品の重量を計測する手段と、
前記計測した情報を前記管理サーバにより管理データベース及び／もしくは前記ピッキング制御サーバによりピッキング制御データベースに第５の記憶として格納する手段と、
前記第４の記憶情報と第５の記憶情報とから課金金額を算出する手段と、
前記算出した課金金額を前記管理サーバにより管理データベース及び／もしくは前記ピッキング制御サーバによりピッキング制御データベースに第６の記憶として格納する手段と
をさらに備える。
またさらに、
前記第４、５、６の記憶として格納した情報のうち少なくとも１つを表示する手段
をさらに備える。
【００１３】
少なくとも管理サーバ及び管理データベースを有する管理システム並びにピッキング制御サーバ及びピッキング制御データベースを有するピッキング制御システムを備えてなる物流施設における施設使用料を算出する物流課金処理システムにおいて、
前記物流課金処理システムが物品を処理するごとに課金する施設賃料情報を前記管理サーバにより管理データベース及び／もしくは前記ピッキング制御サーバによりピッキング制御データベースに第７の記憶として格納する手段と、
前記物流課金処理システムにおいて取り扱う物品数量を集計する手段と、
前記集計した数量情報を前記管理サーバにより管理データベース及び／もしくは前記ピッキング制御サーバによりピッキング制御データベースに第８の記憶として格納する手段と、
前記第７の記憶情報と第８の記憶情報とから課金金額を集計する手段と、
前記算出した課金金額を前記管理サーバにより管理データベース及び／もしくは前記ピッキング制御サーバによりピッキング制御データベースに第９の記憶として格納する手段と
をさらに備える。
またさらに、
前記第７、８、９の記憶として格納した情報のうち少なくとも１つを表示する手段
をさらに備える。
【００１４】
また、
前記物流課金処理システムにおいて、
取扱う物品が一定重量を超えると課金する施設賃料情報を前記管理サーバにより管理データベース及び／もしくは前記ピッキング制御サーバによりピッキング制御データベースに第１０の記憶として格納する手段と、
前記物流課金処理システムにおいて取り扱う物品の重量を計測する手段と、
前記計測した情報を前記管理サーバにより管理データベース及び／もしくは前記ピッキング制御サーバによりピッキング制御データベースに第１１の記憶として格納する手段と、
前記第１０の記憶情報と第１１の記憶情報とから課金金額を算出する手段と、
前記算出した課金金額を前記管理サーバにより管理データベース及び／もしくは前記ピッキング制御サーバによりピッキング制御データベースに第１２の記憶として格納する手段と
をさらに備える。
またさらに、
前記第１０、１１、１２の記憶として格納した情報のうち少なくとも１つを表示する手段
をさらに備える。
【００１５】
少なくとも管理サーバ及び管理データベースを有する管理システム並びにピッキング制御サーバ及びピッキング制御データベースを有するピッキング制御システムを備えてなる物流施設における施設使用料を算出する物流課金処理システムにおいて、
前記物流課金処理システムが物品容器を処理するごとに課金する施設賃料情報を前記管理サーバにより管理データベース及び／もしくは前記ピッキング制御サーバによりピッキング制御データベースに第１３の記憶として格納する手段と、
前記物流課金処理システムにおいて取り扱う物品容器数量を集計する手段と、
前記集計した数量情報を前記管理サーバにより管理データベース及び／もしくは前記ピッキング制御サーバによりピッキング制御データベースに第１４の記憶として格納する手段と、
前記第１３の記憶情報と第１４の記憶情報とから課金金額を集計する手段と、
前記算出した課金金額を前記管理サーバにより管理データベース及び／もしくは前記ピッキング制御サーバによりピッキング制御データベースに第１５の記憶として格納する手段と
をさらに備える。
またさらに、
前記第１３、１４、１５の記憶として格納した情報のうち少なくとも１つを表示する手段
をさらに備える。
【００１６】
また、
前記物流課金処理システムにおいて、
取扱う物品が一定重量を超えると課金する施設賃料情報を前記管理サーバにより管理データベース及び／もしくは前記ピッキング制御サーバによりピッキング制御データベースに第１６の記憶として格納する手段と、
前記物流課金処理システムにおいて取り扱う物品の重量を計測する手段と、
前記計測した情報を前記管理サーバにより管理データベース及び／もしくは前記ピッキング制御サーバによりピッキング制御データベースに第１７の記憶として格納する手段と、
前記第１６の記憶情報と第１７の記憶情報とから課金金額を算出する手段と、
前記算出した課金金額を前記管理サーバにより管理データベース及び／もしくは前記ピッキング制御サーバによりピッキング制御データベースに第１８の記憶として格納する手段と
をさらに備える。
またさらに、
前記第１６、１７、１８の記憶として格納した情報のうち少なくとも１つを表示する手段
をさらに備える。
【００１７】
また本発明は物流課金処理システムの制御方法としても実現することができる。即ち、本発明に係る物流課金処理システムの制御方法に関しては、
物流の入荷、検品、保管、加工、仕分け、荷揃え、搬送、梱包、発送の各作業を行う装置及び／もしくは前記各装置を管理するための装置を稼働させて物品を物流経路に載せるためのシステムを備えた物流施設において、
前記物流施設の前記各装置の稼働実績に基づいて課金処理する
ことを備える。
さらに、
少なくとも管理サーバ及び管理データベースを有する管理システム並びにピッキング制御サーバ及びピッキング制御データベースを有するピッキング制御システムを備えてなる物流施設における施設使用料を算出する物流課金処理システムにおいて、
前記物流課金処理システムにおける物品をピッキング処理するために要する時間ごとに課金する施設賃料情報を前記管理サーバにより管理データベース及び／もしくは前記ピッキング制御サーバによりピッキング制御データベースに第１の記憶として格納し、
前記物流課金処理システムにおいて取り扱う物品がピッキング処理に要した時間を集計し、
前記算出した時間情報を前記管理サーバにより管理データベース及び／もしくは前記ピッキング制御サーバによりピッキング制御データベースに第２の記憶として格納し、
前記第１の記憶情報と第２の記憶情報とから課金金額を算出し、
前記算出した課金金額を前記管理サーバにより管理データベース及び／もしくは前記ピッキング制御サーバによりピッキング制御データベースに第３の記憶として格納する
ことをさらに備える。
またさらに、
前記第１、２、３の記憶として格納した情報のうち少なくとも１つを表示する
ことをさらに備える。
【００１８】
また、
前記物流課金処理システムにおいて、
取扱う物品が一定重量を超えると課金する施設賃料情報を前記管理サーバにより管理データベース及び／もしくは前記ピッキング制御サーバによりピッキング制御データベースに第４の記憶として格納し、
前記物流課金処理システムにおいて取り扱う物品の重量を計測し、
前記計測した情報を前記管理サーバにより管理データベース及び／もしくは前記ピッキング制御サーバによりピッキング制御データベースに第５の記憶として格納し、
前記第４の記憶情報と第５の記憶情報とから課金金額を算出し、
前記算出した課金金額を前記管理サーバにより管理データベース及び／もしくは前記ピッキング制御サーバによりピッキング制御データベースに第６の記憶として格納する
ことをさらに備える。
またさらに、
前記第４、５、６の記憶として格納した情報のうち少なくとも１つを表示する
ことをさらに備える。
【００１９】
少なくとも管理サーバ及び管理データベースを有する管理システム並びにピッキング制御サーバ及びピッキング制御データベースを有するピッキング制御システムを備えてなる物流施設における施設使用料を算出する物流課金処理システムにおいて、
前記物流課金処理システムが物品を処理するごとに課金する施設賃料情報を前記管理サーバにより管理データベース及び／もしくは前記ピッキング制御サーバによりピッキング制御データベースに第７の記憶として格納し、
前記物流課金処理システムにおいて取り扱う物品数量を集計し、
前記集計した数量情報を前記管理サーバにより管理データベース及び／もしくは前記ピッキング制御サーバによりピッキング制御データベースに第８の記憶として格納し、
前記第７の記憶情報と第８の記憶情報とから課金金額を集計し、
前記算出した課金金額を前記管理サーバにより管理データベース及び／もしくは前記ピッキング制御サーバによりピッキング制御データベースに第９の記憶として格納する
ことをさらに備える。
またさらに、
前記第７、８、９の記憶として格納した情報のうち少なくとも１つを表示する
ことをさらに備える。
【００２０】
また、
前記物流課金処理システムにおいて、
取扱う物品が一定重量を超えると課金する施設賃料情報を前記管理サーバにより管理データベース及び／もしくは前記ピッキング制御サーバによりピッキング制御データベースに第１０の記憶として格納し、
前記物流課金処理システムにおいて取り扱う物品の重量を計測し、
前記計測した情報を前記管理サーバにより管理データベース及び／もしくは前記ピッキング制御サーバによりピッキング制御データベースに第１１の記憶として格納し、
前記第１０の記憶情報と第１１の記憶情報とから課金金額を算出し、
前記算出した課金金額を前記管理サーバにより管理データベース及び／もしくは前記ピッキング制御サーバによりピッキング制御データベースに第１２の記憶として格納する
ことをさらに備える。
またさらに、
前記第１０、１１、１２の記憶として格納した情報のうち少なくとも１つを表示する
ことをさらに備える。
【００２１】
少なくとも管理サーバ及び管理データベースを有する管理システム並びにピッキング制御サーバ及びピッキング制御データベースを有するピッキング制御システムを備えてなる物流施設における施設使用料を算出する物流課金処理システムにおいて、
前記物流課金処理システムが物品容器を処理するごとに課金する施設賃料情報を前記管理サーバにより管理データベース及び／もしくは前記ピッキング制御サーバによりピッキング制御データベースに第１３の記憶として格納し、
前記物流課金処理システムにおいて取り扱う物品容器数量を集計し、
前記集計した数量情報を前記管理サーバにより管理データベース及び／もしくは前記ピッキング制御サーバによりピッキング制御データベースに第１４の記憶として格納し、
前記第１３の記憶情報と第１４の記憶情報とから課金金額を集計し、
前記算出した課金金額を前記管理サーバにより管理データベース及び／もしくは前記ピッキング制御サーバによりピッキング制御データベースに第１５の記憶として格納する
ことをさらに備える。
またさらに、
前記第１３、１４、１５の記憶として格納した情報のうち少なくとも１つを表示する
ことをさらに備える。
【００２２】
また、
前記物流課金処理システムにおいて、
前記物流課金処理システムにおいて取扱う物品が一定重量を超えると課金する施設賃料情報を前記管理サーバにより管理データベース及び／もしくは前記ピッキング制御サーバによりピッキング制御データベースに第１６の記憶として格納し、
前記物流課金処理システムにおいて取り扱う物品の重量を計測し、
前記計測した情報を前記管理サーバにより管理データベース及び／もしくは前記ピッキング制御サーバによりピッキング制御データベースに第１７の記憶として格納し、
前記第１６の記憶情報と第１７の記憶情報とから課金金額を算出し、
前記算出した課金金額を前記管理サーバにより管理データベース及び／もしくは前記ピッキング制御サーバによりピッキング制御データベースに第１８の記憶として格納する
ことをさらに備える。
またさらに、
前記第１６、１７、１８の記憶として格納した情報のうち少なくとも１つを表示する
ことをさらに備える。
【００２３】
また本発明は物流課金処理システムのプログラムとしても実現することができる。即ち、本発明に係る物流課金処理システムのプログラムに関しては、
物流の入荷、検品、保管、加工、仕分け、荷揃え、搬送、梱包、発送の各作業を行う装置及び／もしくは前記各装置を管理するための装置を稼働させて物品を物流経路に載せるためのシステムを備えた物流施設において、
前記物流施設の前記各装置の稼働実績に基づいて課金処理する手段
として動作させることを備える。
さらに、
少なくとも管理サーバ及び管理データベースを有する管理システム並びにピッキング制御サーバ及びピッキング制御データベースを有するピッキング制御システムを備えてなる物流施設における施設使用料を算出する物流課金処理システムにおいて、
物品をピッキング処理するために要する時間ごとに課金する施設賃料情報を前記管理サーバにより管理データベース及び／もしくは前記ピッキング制御サーバによりピッキング制御データベースに第１の記憶として格納する手段と、
前記物流課金処理システムにおいて取り扱う物品がピッキング処理に要した時間を集計する手段と、
前記算出した時間情報を前記管理サーバにより管理データベース及び／もしくは前記ピッキング制御サーバによりピッキング制御データベースに第２の記憶として格納する手段と、
前記第１の記憶情報と第２の記憶情報とから課金金額を算出する手段と、
前記算出した課金金額を前記管理サーバにより管理データベース及び／もしくは前記ピッキング制御サーバによりピッキング制御データベースに第３の記憶として格納する手段と
として動作させることをさらに備える。
またさらに、
前記第１、２、３の記憶として格納した情報のうち少なくとも１つを表示する手段
として動作させることをさらに備える。
【００２４】
また、
前記物流課金処理システムにおいて、
取扱う物品が一定重量を超えると課金する施設賃料情報を前記管理サーバにより管理データベース及び／もしくは前記ピッキング制御サーバによりピッキング制御データベースに第４の記憶として格納する手段と、
前記物流課金処理システムにおいて取り扱う物品の重量を計測する手段と、
前記計測した情報を前記管理サーバにより管理データベース及び／もしくは前記ピッキング制御サーバによりピッキング制御データベースに第５の記憶として格納する手段と、
前記第４の記憶情報と第５の記憶情報とから課金金額を算出する手段と、
前記算出した課金金額を前記管理サーバにより管理データベース及び／もしくは前記ピッキング制御サーバによりピッキング制御データベースに第６の記憶として格納する手段と
として動作させることをさらに備える。
またさらに、
前記第４、５、６の記憶として格納した情報のうち少なくとも１つを表示する手段
として動作させることをさらに備える。
【００２５】
少なくとも管理サーバ及び管理データベースを有する管理システム並びにピッキング制御サーバ及びピッキング制御データベースを有するピッキング制御システムを備えてなる物流施設における施設使用料を算出する物流課金処理システムにおいて、
前記物流課金処理システムが物品を処理するごとに課金する施設賃料情報を前記管理サーバにより管理データベース及び／もしくは前記ピッキング制御サーバによりピッキング制御データベースに第７の記憶として格納する手段と、
前記物流課金処理システムにおいて取り扱う物品数量を集計する手段と、
前記集計した数量情報を前記管理サーバにより管理データベース及び／もしくは前記ピッキング制御サーバによりピッキング制御データベースに第８の記憶として格納する手段と、
前記第７の記憶情報と第８の記憶情報とから課金金額を集計する手段と、
前記算出した課金金額を前記管理サーバにより管理データベース及び／もしくは前記ピッキング制御サーバによりピッキング制御データベースに第９の記憶として格納する手段と
として動作させることをさらに備える。
またさらに、
前記第７、８、９の記憶として格納した情報のうち少なくとも１つを表示する手段
として動作させることをさらに備える。
【００２６】
また、
前記物流課金処理システムにおいて、
前記物流課金処理システムにおいて取扱う物品が一定重量を超えると課金する施設賃料情報を前記管理サーバにより管理データベース及び／もしくは前記ピッキング制御サーバによりピッキング制御データベースに第１０の記憶として格納する手段と、
前記物流課金処理システムにおいて取り扱う物品の重量を計測する手段と、
前記計測した情報を前記管理サーバにより管理データベース及び／もしくは前記ピッキング制御サーバによりピッキング制御データベースに第１１の記憶として格納する手段と、
前記第１０の記憶情報と第１１の記憶情報とから課金金額を算出する手段と、
前記算出した課金金額を前記管理サーバにより管理データベース及び／もしくは前記ピッキング制御サーバによりピッキング制御データベースに第１２の記憶として格納する手段と
として動作させることをさらに備える。
またさらに、
前記第１０、１１、１２の記憶として格納した情報のうち少なくとも１つを表示する手段
として動作させることをさらに備える。
【００２７】
少なくとも管理サーバ及び管理データベースを有する管理システム並びにピッキング制御サーバ及びピッキング制御データベースを有するピッキング制御システムを備えてなる物流施設における施設使用料を算出する物流課金処理システムにおいて、
前記物流課金処理システムが物品容器を処理するごとに課金する施設賃料情報を前記管理サーバにより管理データベース及び／もしくは前記ピッキング制御サーバによりピッキング制御データベースに第１３の記憶として格納する手段と、
前記物流課金処理システムにおいて取り扱う物品容器数量を集計する手段と、
前記集計した数量情報を前記管理サーバにより管理データベース及び／もしくは前記ピッキング制御サーバによりピッキング制御データベースに第１４の記憶として格納する手段と、
前記第１３の記憶情報と第１４の記憶情報とから課金金額を集計する手段と、
前記算出した課金金額を前記管理サーバにより管理データベース及び／もしくは前記ピッキング制御サーバによりピッキング制御データベースに第１５の記憶として格納する手段と
として動作させることをさらに備える。
またさらに、
前記第１３、１４、１５の記憶として格納した情報のうち少なくとも１つを表示する手段
として動作させることをさらに備える。
【００２８】
また、
前記物流課金処理システムにおいて、
取扱う物品が一定重量を超えると課金する施設賃料情報を前記管理サーバにより管理データベース及び／もしくは前記ピッキング制御サーバによりピッキング制御データベースに第１６の記憶として格納する手段と、
前記物流課金処理システムにおいて取り扱う物品の重量を計測する手段と、
前記計測した情報を前記管理サーバにより管理データベース及び／もしくは前記ピッキング制御サーバによりピッキング制御データベースに第１７の記憶として格納する手段と、
前記第１６の記憶情報と第１７の記憶情報とから課金金額を算出する手段と、
前記算出した課金金額を前記管理サーバにより管理データベース及び／もしくは前記ピッキング制御サーバによりピッキング制御データベースに第１８の記憶として格納する手段と
として動作させることをさらに備える。
またさらに、
前記第１６、１７、１８の記憶として格納した情報のうち少なくとも１つを表示する手段
として動作させることをさらに備える。
【発明の効果】
【００２９】
本発明の一実施形態において、例えば物流施設を特定企業体が使用する、時間、ピッキング対象物品の個数、対象物品を収納する容器の個数に応じて課金することで、賃料を単純かつ明確にすることを可能とする。さらに、ピッキング対象物品を収納した容器の総重量が一定に基準を超えることで、施設への影響等を考慮して、賃料を割り増しすることにより、物流施設への加重による耐用年数への影響を考慮した管理費用の捻出を可能とする。
【図面の簡単な説明】
【００３０】
【図１】本発明の一実施形態に係る物流課金処理システム全体の機能ブロック図である。
【図２】本発明の一実施形態に係る管理システムの構成図である。
【図３】本発明の一実施形態に係るピッキング制御システムの構成図である。
【図４】本発明の一実施形態に係るピッキング制御システムの出力制御装置の構成図である。
【図５】本発明の一実施形態に係るピッキング制御システムの入力制御装置の構成図である。
【図６】本発明の一実施形態に係る設備概要図である。
【図７】本発明の一実施形態に係る入荷トラック管理データテーブルである。
【図８】本発明の一実施形態に係る入荷貨物管理データテーブルである。
【図９】本発明の一実施形態に係る保管位置概要図である。
【図１０】本発明の一実施形態に係る保管庫管理データテーブルである。
【図１１】本発明の一実施形態に係る出荷管理データテーブルである。
【図１２】本発明の一実施形態に係る容器別出荷管理データテーブルである。
【図１３】本発明の一実施形態に係るピッキング作業概念図である。
【図１４】本発明の一実施形態に係るピッキング管理データテーブルである。
【図１５】本発明の一実施形態に係る顧客別ピッキング管理データテーブルである。
【図１６】本発明の一実施形態に係る課金管理データテーブルである。
【図１７】本発明の一実施形態に係る賃料基礎データテーブルである。
【図１８】本発明の一実施形態に係る出荷顧客別課金額データテーブルである。
【図１９】本発明の一実施形態に係る物流施設処理概要図である。
【図２０】本発明の一実施形態に係る出荷個数課金データテーブルである。
【発明を実施するための形態】
【００３１】
本願は、例えば物流設備を使用する企業体が設備を所有せずに、しかもリース等にもよらない方法として、物流施設を使用する企業の、設備使用頻度に従って課金するものである。
【００３２】
以下、図面を参照して、本願を実施するための形態について説明する。図１は、本願の一実施形態に係る物流課金処理システムの構成概要を示す機能ブロック図である。物流課金処理システムは、ネットワーク１０を介して管理システム２０、各設備を制御するピッキング制御システム３０とが結び付いて構成される。その他、必要に応じて、補助制御システム３０１等の関連機関システムとネットワーク１０を介して接続し、必要に応じて、システム構成をいわゆるクラウドコンピューティングにより構成してもかまわない。さらに、補助制御システム３０１は、例えばピッキング制御システム３０と一体化したシステムであってもかまわない。また、例えば、管理システム２０からピッキング制御システム３０に対し、必要とされるソフトウェア等をインストールしてもかまわない。
【００３３】
次に、図２に従って管理システム２０の詳細を説明する。同図に示すように、管理システム２０は、管理装置データベース（以下、「管理装置ＤＢ」という。）２１、管理装置サーバ２２、管理出力装置２３、管理入力装置２４、管理装置インターフェース２６を備えて構成されている。管理装置サーバ２２は、プロセッサ等により物流課金処理システムに関するデータの処理を行い、管理装置ＤＢ２１は物流課金処理システムの管理システムに関するプログラムおよび情報等のデータを記憶する。管理出力装置２３は、ディスプレイ、プリンタ等を備えて構成され、必要に応じて各種情報を出力して表示する。また、管理入力装置２４は、キーボード、バーコードリーダ、スキャナ等を備えて構成され、必要に応じて情報の入力を行うが、情報の入力を可能とするすべての装置を含むものとする。管理入力装置２４では、必要に応じてキーボード等から入力処理を行って、例えば管理出力装置２３に表示し、必要に応じて、管理入力装置２４から入力された情報等を、管理装置インターフェース２６を介してピッキング制御システム３０等に送信する。なお、管理システム２０は最終的に物流課金処理システムの管理システムとしての業務遂行が可能であれば、単独でも複数のシステムから構成されていてもかまわない。
【００３４】
次に、図３に従ってピッキング制御システム３０の詳細を説明する。同図に示すように、ピッキング制御システム３０は、ピッキング制御データベース（以下、「ピッキング制御ＤＢ」という。）３１、ピッキング制御サーバ３２、ピッキング制御出力装置３３、ピッキング制御入力装置３４、ピッキング制御インターフェース３６を備えて構成されている。ピッキング制御ＤＢ３１は物流課金処理システムの制御処理に関するプログラムおよび情報等のデータを記憶する。ピッキング制御サーバ３２は、プロセッサ等により、例えば管理システム２０から送られる情報等を処理し、例えばピッキング制御出力装置３３に情報を表示し、さらに、物流課金処理システムのピッキング制御に関するデータの処理を行う。ピッキング制御出力装置３３は、出力制御部、ディスプレイ、プリンタ等を備えて構成され、必要に応じて各種情報を出力して表示する。また、ピッキング制御入力装置３４は、入力制御部、キーボード、バーコードリーダ、スキャナ等を備えて構成され、必要に応じて情報の入力を行うが、情報の入力を可能とするすべての装置を含むものとする。さらに、ピッキング制御入力装置３４では、必要に応じてキーボード等から入力処理を行って、例えばピッキング制御出力装置３３に表示し、必要に応じて、ピッキング制御入力装置３４から入力された情報等を、ピッキング制御インターフェース３６を介して管理システム２０等に送信する。ピッキング制御入力装置３４では、必要に応じて各種入力部からの情報を、例えばピッキング制御出力装置３３に表示し、必要に応じて、ピッキング制御インターフェース３６を介して管理システム２０に送信する。管理システム２０では送信された情報に従って、物流課金処理システムの管理処理を行い、さらなる情報を必要とする場合には、ピッキング制御システム３０から、さらなる情報入力が行われるものとする。なお、ピッキング制御システム３０は最終的に物流課金処理システムの制御システムとしての業務遂行が可能であれば、単独でも複数のシステムから構成されていてもかまわない。このようにピッキング制御システム３０は管理システム２０と連携して、物流課金処理システム処理を行う。
【００３５】
以上、本発明の一実施形態の概要および構成を示した。なお、管理システム２０およびピッキング制御システム３０以外の補助制御システム３０１等各システムにおいても、プロセッサ、メモリ等（図示せず）を有する場合には、管理システム２０およびピッキング制御システム３０と同様に、必要に応じて各種情報処理を行うものとする。次に、本発明の詳細および動作について説明する。
【００３６】
図４に示す出力制御装置３３０は、ピッキング制御出力装置３３から伝達される各ピッキング制御情報を、出力制御部３３１を介して、表示器出力部３３２１、駆動出力部３３２２等へ伝達する。
【００３７】
図５に示す入力制御装置３４０は、入力制御部３４１を介して、表示器入力部３４２１、駆動入力部３４２２等からの各ピッキング制御情報を、ピッキング制御入力装置３４へ伝達する。
【００３８】
次に、物品を物流経路に載せて稼働する物流課金処理システムの設備概要６０について、図６に従って説明する。設備概要６０は、入荷部６１、保管部６２、集品上流部６３、ピッキング本体部６４、集品下流部６５、出荷部６６等により構成される。なお、設備概要６０の各構成部６１〜６６は、それぞれ該当するピッキング制御システム３０により制御されるものとする。また、上記各部間の搬送装置は、それぞれの設備で必要な搬送に関し、それぞれの設備において制御するものとする。なお、入荷した物品の検品作業に関する装置は、例えば入荷部６１だけでなく、保管部６２で行ってもかまわない。また、流通に係る加工、仕分け、荷揃え等の作業に関する装置が必要となった場合には、例えば集品上流部６３で行い、梱包、発送作業の関する装置は、例えば出荷部６６に含まれるものとする。
【００３９】
次に、入荷トラック管理データテーブル７０について、図７に従って説明する。入荷トラック管理データテーブル７０は、入荷トラック管理の対象となる年月日を格納する入荷トラック管理対象年月日欄７１、入荷トラック管理の各項目を示す、入荷トラック管理欄７２、入荷トラックの具体的な管理情報を示す、入荷トラック管理１情報７３０１、入荷トラック管理２情報７３０２、入荷トラック管理３情報７３０３、・・・等を備えている。また、入荷トラック管理欄７２は、番号欄７２１、入荷予定日時欄７２２、入荷トラックコード欄７２３、入荷場所コード欄７２４、到着時刻欄７２５、終了時刻欄７２６、・・・等を、さらに備えて構成される。なお、入荷トラック管理データテーブル７０は、例えば入荷部６１に該当するピッキング制御システム３０のピッキング制御ＤＢ３１に格納されたプログラムに従って、ピッキング制御サーバ３２のプロセッサ等により、関連する情報から算出した情報、または、ピッキング制御出力装置３３のディスプレイに表示する入荷トラック管理データテーブル設定画面（図示せず）に従って、例えばピッキング制御システム３０のピッキング制御入力装置３４のキーボードから操作者により入力された情報を、ピッキング制御ＤＢ３１に格納されたプログラムに従い、ピッキング制御サーバ３２のプロセッサ等により、ピッキング制御ＤＢ３１上に格納するものとする。また、入荷トラック管理データテーブル設定画面（図示せず）は、入荷トラック管理データテーブル７０と同一形式を有するものとする。さらに、必要に応じて、入荷トラック管理データテーブル７０の内容に従った入荷トラック管理データテーブル表示画面（図示せず）を、例えばピッキング制御システム３０のピッキング制御出力装置３３、管理システム２０の管理出力装置２３に表示するものとする。なお、入荷トラック管理データテーブル７０は、管理システム２０側で入力、メモリ格納してもかまわない。また、ピッキング制御システム３０側で入力、格納した情報を、例えばネットワーク１０を介して、管理システム２０側に送信してもかまわないし、管理システム２０側で入力、格納した情報を、ピッキング制御システム３０側に送信してもかまわない。
【００４０】
次に、入荷トラック管理データテーブル７０に格納する情報について説明する。入荷トラック管理対象年月日欄７１には、入荷トラック管理の対象となる年月日として、例えば「入荷トラック管理  年月日：２０１６．０２．０１」という情報を格納する。入荷トラック管理欄７２の、番号欄７２１の入荷トラック管理１情報７３０１には「１」、入荷トラック管理２情報７３０２には「２」、入荷トラック管理３情報７３０１には「３」、・・・という番号を順次格納し、入荷予定日時欄７２２には「入荷予定日時」、予定トラックコード欄７２３には「予定トラックコード」、入荷場所コード欄７２４には「入荷場所コード」、到着時刻欄７２５には「到着時刻」、終了時刻欄７２６には「終了時刻」という情報を、それぞれ格納する。さらに、入荷トラック管理１情報７３０１の、入荷予定日時欄７２２には、荷物を物流施設に届けるトラックの到着予定日時に関し、例えば「２０１６．０２．０１．０８：００」という情報を、トラックコード欄７２３には、荷物を物流施設に届けるトラックのコードに関し、例えば「ＮＴ００１−００１２３」という情報を、入荷場所コード欄７２４には、荷物を物流施設に届けるトラックが荷物を運び入れる場所のコードに関し、例えば「ＮＢ００１−０００１」という情報を、到着時刻欄７２５には、荷物を物流施設に届けるトラックが荷物を運び入れる場所に到着した時刻に関し、例えば「０８：０３」という情報を、終了時刻欄７２６には、物流施設に荷物を運び入れる作業を終了した時刻に関し、例えば「０９：００」という情報を、それぞれ格納する。以下、入荷トラック管理１情報７３０１と同様に、入荷トラック管理２情報７３０２、入荷トラック管理３情報７３０３、・・・の各欄にも情報を格納するものとする。なお、入荷トラック管理データテーブル７０はトラックに限定されるもではなく、あらゆる輸送手段に関し、情報を格納するものとする。また、上記説明では、入荷トラック管理データテーブル７０の各欄の格納情報として、例えば、漢字、数字による文字コードを格納しているが、例えば独自に設定したコード等の情報であっても、あるいは、文字コード列に、独自に設定したコード等の情報をさらに付加したものであってもかまわない。なお、トラックコード欄７２３に格納するトラックコードは、例えば運送会社ごとに例えば通し番号を付与し、本物流施設に関する全トラックを識別する。また、各トラックコードと具体的なトラックに関する情報とを一覧データテーブル（図示せず）にて管理してもかまわない。
【００４１】
次に、入荷貨物管理データテーブル８０について、図８に従って説明する。入荷貨物管理データテーブル８０は、入荷貨物管理の対象となる年月日を格納する入荷貨物管理対象年月日欄８１、入荷貨物管理の各項目を示す、入荷貨物管理欄８２、入荷貨物の具体的な管理情報を示す、入荷貨物管理１情報８３０１、入荷貨物管理２情報８３０２、入荷貨物管理３情報８３０３、・・・等を備えている。また、入荷貨物管理欄８２は、番号欄８２１、入荷トラックコード欄８２２、入荷容器コード欄８２３、入荷予定物品コード欄８２４、物品コード欄８２５、入荷容器別総重量欄８２６、・・・等を、さらに備えて構成される。なお、入荷貨物管理データテーブル８０は、例えば入荷部６１に該当するピッキング制御システム３０のピッキング制御ＤＢ３１に格納されたプログラムに従って、ピッキング制御サーバ３２のプロセッサ等により、関連する情報から算出した情報、または、ピッキング制御出力装置３３のディスプレイに表示する入荷貨物管理データテーブル設定画面（図示せず）に従って、例えばピッキング制御システム３０のピッキング制御入力装置３４のキーボードから操作者により入力された情報を、ピッキング制御ＤＢ３１に格納されたプログラムに従い、ピッキング制御サーバ３２のプロセッサ等により、ピッキング制御ＤＢ３１上に格納するものとする。また、入荷貨物管理データテーブル設定画面（図示せず）は、入荷貨物管理データテーブル８０と同一形式を有するものとする。さらに、必要に応じて、入荷貨物管理データテーブル８０の内容に従った入荷貨物管理データテーブル表示画面（図示せず）を、例えばピッキング制御システム３０のピッキング制御出力装置３３、管理システム２０の管理出力装置２３に表示するものとする。なお、入荷貨物管理データテーブル８０は、管理システム２０側で入力、メモリ格納してもかまわない。また、ピッキング制御システム３０側で入力、格納した情報を、例えばネットワーク１０を介して、管理システム２０側に送信してもかまわないし、管理システム２０側で入力、格納した情報を、ピッキング制御システム３０側に送信してもかまわない。
【００４２】
次に、入荷貨物管理データテーブル８０に格納する情報について、説明する。入荷貨物管理対象年月日欄８１には、入荷貨物管理の対象となる年月日として、例えば「入荷貨物管理  年月日：２０１６．０２．０１」という情報を格納する。入荷貨物管理欄８２の、番号欄８２１の入荷貨物管理１情報８３０１には「１」、入荷貨物管理２情報８３０２には「２」、入荷貨物管理３情報８３０１には「３」、・・・、以下同様に、「１１」、「１２」、・・・という番号を順次格納し、入荷トラックコード欄８２２には「入荷トラックコード」、入荷容器コード欄８２３には「入荷容器コード」、入荷予定物品コード欄８２４には「入荷予定物品コード‐個数」、物品コード欄８２５には「物品コード‐個数」、入荷容器別総重量欄８２６には「入荷容器別総重量」という情報を、それぞれ格納する。さらに、入荷貨物管理１情報８３０１の入荷トラックコード欄８２２には、荷物を物流施設に届けるトラックコードに関し、例えば「ＮＴ００１−００１２３」という情報を、入荷容器コード欄８２３には、荷物を物流施設に届けるトラックに積み込まれた入荷容器コードに関し、例えば「ＮＹ００１−０００１」という情報を、入荷予定物品コード欄８２４には、上記入荷容器コード欄８２３に格納した入荷容器に収納された物品コードが例えばＭ００１、入荷予定個数が例えば１２個であった場合、例えば「Ｍ００１−１２」という情報を、物品コード欄８２５には、実際に入荷した物品コードが例えばＭ００１、入荷個数が例えば１２個であった場合、例えば「Ｍ００１−１２」という情報を、入荷容器別総重量欄８２６には、実際に入荷した入荷容器ごとの物品総重量を、例えば入荷部６１で計測し、その結果が例えば１．２キログラムであった場合、例えば「１．２Ｋｇ」という情報を、それぞれ格納する。以下、入荷貨物管理１情報８３０１と同様に、入荷貨物管理２情報８３０２、入荷貨物管理３情報８３０３、・・・の各欄にも情報を格納するものとする。なお、入荷貨物管理データテーブル８０はトラックに限定されるもではなく、あらゆる輸送手段に関し、情報を格納するものとする。また、上記説明では、入荷貨物管理データテーブル８０の各欄の格納情報として、例えば、漢字、数字による文字コードを格納しているが、例えば独自に設定したコード等の情報であっても、あるいは、文字コード列に、独自に設定したコード等の情報をさらに付加したものであってもかまわない。なお、入荷容器コード欄８２３、入荷予定物品コード欄８２４と物品コード欄８２５とに格納する入荷容器コードと物品コードとには、例えば入荷容器ごとに例えば通し番号を付与し、本物流施設に関する全入荷容器と、例えば物品ごとに例えば通し番号を付与し、本物流施設に関する全物品とを識別する。また、各コードと具体的な入荷容器と物品との情報を一覧データテーブル（図示せず）にて管理してもかまわない。
【００４３】
次に、例えば保管部６２における保管位置の認識方法を示す保管位置概要図９０について、図９に従って説明する。保管位置概要図９０は、例えば高さ方向の位置を示す、Ｈ０１、Ｈ０２、Ｈ０３、・・・、Ｈ９９、例えば幅方向の位置を示す、Ｗ０１、Ｗ０２、Ｗ０３、・・・、Ｗ９９、例えば奥行方向の位置を示す、Ｄ０１、Ｄ０２、Ｄ０３、・・・、Ｄ９９、のように各位置情報を指定する。このような位置情報を、例えばＷ０１Ｈ０１Ｄ０１〜Ｗ９９Ｈ９９Ｄ９９と表記することによって、各保管位置を指定するものとする。なお、例えば高さ方向のＨ０１〜Ｈ９９は、必ず９９個に区分される必要はなく、どのように区分してもかまわない。また、上記区分に関しては、高さ方向だけではなく、幅方向、奥行方向に関しても、高さ方向と同様とする。
【００４４】
次に、保管庫管理データテーブル１００について、図１０に従って説明する。保管庫管理データテーブル１００は、保管庫管理の対象となる位置情報を格納する保管庫管理対象欄１０１、保管庫管理の各項目を示す、保管庫管理欄１０２、保管庫の具体的な管理情報を示す、保管庫管理１情報１０３０１、保管庫管理２情報１０３０２、保管庫管理３情報１０３０３、・・・等を備えている。また、保管庫管理欄１０２は、番号欄１０２１、入庫日時欄１０２２、出庫日時欄１０２３、容器コード欄１０２４、物品コード欄１０２５、・・・等を、さらに備えて構成される。なお、保管庫管理データテーブル１００は、例えば保管部６２に該当するピッキング制御システム３０のピッキング制御ＤＢ３１に格納されたプログラムに従って、ピッキング制御サーバ３２のプロセッサ等により、関連する情報から算出した情報、または、ピッキング制御出力装置３３のディスプレイに表示する保管庫管理データテーブル設定画面（図示せず）に従って、例えばピッキング制御システム３０のピッキング制御入力装置３４のキーボードから操作者により入力された情報を、ピッキング制御ＤＢ３１に格納されたプログラムに従い、ピッキング制御サーバ３２のプロセッサ等により、ピッキング制御ＤＢ３１上に格納するものとする。また、保管庫管理データテーブル設定画面（図示せず）は、保管庫管理データテーブル１００と同一形式を有するものとする。さらに、必要に応じて、保管庫管理データテーブル１００の内容に従った保管庫管理データテーブル表示画面（図示せず）を、例えばピッキング制御システム３０のピッキング制御出力装置３３、管理システム２０の管理出力装置２３に表示するものとする。なお、保管庫管理データテーブル１００は、管理システム２０側で入力、メモリ格納してもかまわない。また、ピッキング制御システム３０側で入力、格納した情報を、例えばネットワーク１０を介して、管理システム２０側に送信してもかまわないし、管理システム２０側で入力、格納した情報を、ピッキング制御システム３０側に送信してもかまわない。
【００４５】
次に、保管庫管理データテーブル１００に格納する情報について、説明する。保管庫管理対象欄１０１には、保管庫管理の対象となる情報として、例えば「保管庫情報：Ｗ０１Ｈ０１Ｄ０１」という情報を格納する。保管庫管理欄１０２の、番号欄１０２１の、保管庫管理１情報１０３０１には「１」、保管庫管理２情報１０３０２には「２」、保管庫管理３情報１０３０１には「３」、以下同様に、・・・、「１１」、・・・という番号を順次格納し、入庫日時欄１０２２には「入庫日時」、出庫日時欄１０２３には「出庫日時」、容器コード欄１０２４には「容器コード」、物品コード欄１０２５には「物品コード‐個数」という情報を、それぞれ格納する。さらに、保管庫管理１情報１０３０１の入庫日時欄１０２２には、物品が入庫した日時に関し、例えば「２０１５．０１．０１．０８：００」という情報を、出庫日時欄１０２３には、物品が出庫した日時に関し、例えば「２０１５．０１．０１．１２：２３」という情報を、容器コード欄１０２４には、該当する保管場所に保管した容器コードに関し、例えば「ＮＹ００１−０００１」という情報を、物品コード欄１０２５には、保管した物品コードが例えばＭ００１、入荷個数が例えば２０個であった場合、例えば「Ｍ００１−２０」という情報を、それぞれ格納する。以下、保管庫管理１情報１０３０１と同様に、保管庫管理２情報１０３０２、保管庫管理３情報１０３０３、・・・の各欄にも情報を格納するものとする。また、保管庫管理データテーブル１００は、保管位置概要図９０に示す、各保管位置ごとに１つ存在するが、空の場合は、該当する保管庫管理データテーブルを作成しなくてもかまわない。なお、上記説明では、保管庫管理データテーブル１００の各欄の格納情報として、例えば、漢字、数字による文字コードを格納しているが、例えば独自に設定したコード等の情報であっても、あるいは、文字コード列に、独自に設定したコード等の情報をさらに付加したものであってもかまわない。
【００４６】
次に、出荷管理データテーブル１１０について、図１１に従って説明する。出荷管理データテーブル１１０は、出荷管理の対象となる年月日情報を格納する出荷管理対象年月日欄１１１、出荷管理の各項目を示す出荷管理欄１１２、出荷予定の具体的な管理情報を示す出荷管理１情報１１３０１、出荷管理２情報１１３０２、出荷管理３情報１１３０３、以下同様に、・・・、出荷管理１１情報１１３１１、・・・、等を備えている。また、出荷管理欄１１２は、番号欄１１２１、出荷トラックコード欄１１２２、出荷顧客コード欄１１２３、出荷容器コード欄１１２４、出荷トラック到着時刻欄１１２５、出荷時刻欄１１２６、出荷場所コード欄１１２７等を、さらに備えて構成される。なお、出荷管理データテーブル１１０は、例えば出荷部６６に該当するピッキング制御システム３０のピッキング制御ＤＢ３１に格納されたプログラムに従って、ピッキング制御サーバ３２のプロセッサ等により、関連する情報から算出した情報、または、ピッキング制御出力装置３３のディスプレイに表示する出荷管理データテーブル設定画面（図示せず）に従って、例えばピッキング制御システム３０のピッキング制御入力装置３４のキーボードから操作者により入力された情報を、ピッキング制御ＤＢ３１に格納されたプログラムに従い、ピッキング制御サーバ３２のプロセッサ等により、ピッキング制御ＤＢ３１上に格納するものとする。また、出荷管理データテーブル設定画面（図示せず）は、出荷管理データテーブル１１０と同一形式を有するものとする。さらに、必要に応じて、出荷管理データテーブル１１０の内容に従った出荷管理データテーブル表示画面（図示せず）を、例えばピッキング制御システム３０のピッキング制御出力装置３３、管理システム２０の管理出力装置２３に表示するものとする。なお、出荷管理データテーブル１１０は、管理システム２０側で入力、メモリ格納してもかまわない。また、ピッキング制御システム３０側で入力、格納した情報を、例えばネットワーク１０を介して、管理システム２０側に送信してもかまわないし、管理システム２０側で入力、格納した情報を、ピッキング制御システム３０側に送信してもかまわない。
【００４７】
次に、出荷管理データテーブル１１０に格納する情報について、説明する。出荷管理対象年月日欄１１１には、出荷管理の対象となる年月日情報として、例えば「出荷管理  年月日：２０１６．０２．０１」という情報を格納する。出荷管理欄１１２の、番号欄１１２１の出荷管理１情報１１３０１には「１」、出荷管理２情報１１３０２には「２」、出荷管理３情報１１３０１には「３」、以下同様に、・・・、出荷管理１１情報１１３０１には「１１」、・・・、という番号を順次格納し、出荷トラックコード欄１１２２には「出荷トラックコード」、出荷顧客コード欄１１２３には「出荷顧客コード」、出荷容器コード欄１１２４には「出荷容器コード」、出荷トラック到着時刻欄１１２５には「出荷トラック到着時刻」、出荷時刻欄１１２６には「出荷時刻」、出荷場所コード欄１１２７には「出荷場所コード」という情報を、それぞれ格納する。さらに、出荷管理１情報１１３０１の出荷トラックコード欄１１２２には、物品出荷するトラックコードに関し、例えば「ＳＴ００１−００１２」という情報を、出荷顧客コード欄１１２３には、物品を出荷する顧客コードに関し、例えば「ＳＫ００１」という情報を、出荷容器コード欄１１２４には、物品を出荷する容器コードに関し、例えば「ＳＹ００１−０００１」という情報を、出荷トラック到着時刻欄１１２５には物品を出荷する予定時刻に関し、例えば「１２：３４」という情報を、出荷時刻欄１１２６には、物品を出荷した時刻に関し、例えば「１３：４５」という情報を、出荷場所コード欄１１２７には、出荷した場所コードに関し、例えば「ＳＢ００１−０００１」という情報を、それぞれ格納する。以下、出荷管理１情報１１３０１と同様に、出荷管理２情報１１３０２、出荷管理３情報１１３０３、・・・の各欄にも情報を格納するものとする。なお、上記説明では、出荷管理データテーブル１１０の各欄の格納情報として、例えば、漢字、アルファベット、数字による文字コードを格納しているが、例えば独自に設定したコード等の情報であっても、あるいは、文字コード列に、独自に設定したコード等の情報をさらに付加したものであってもかまわない。なお、出荷トラックコード欄１１２２と出荷顧客コード欄１１２３と出荷容器コード欄１１２４とに格納する出荷トラックコードと出荷顧客コードと出荷容器コードとには、例えば出荷トラックごとに例えば通し番号を付与して本物流施設に関する全出荷トラックと、例えば出荷顧客ごとに例えば通し番号を付与して本物流施設に関する全出荷顧客と、例えば出荷容器ごとに例えば通し番号を付与して本物流施設に関する全出荷容器とを識別する。また、各コードと具体的な入荷容器と物品との情報を一覧データテーブル（図示せず）にて管理してもかまわない。
【００４８】
次に、容器別出荷管理データテーブル１２０について、図１２に従って説明する。容器別出荷管理データテーブル１２０は、容器別出荷管理の対象となる情報を格納する容器別出荷管理対象情報欄１２１、容器別出荷管理の各項目を示す、容器別出荷管理欄１２２、容器別出荷の具体的な管理情報を示す、容器別出荷管理１情報１２３０１、容器別出荷管理２情報１２３０２、容器別出荷管理３情報１２３０３、・・・、等を備えている。また、容器別出荷管理欄１２２は、物品コード欄１２２１、入荷容器コード欄１２２２、出荷物品個数欄１２２３、保管庫出庫時刻欄１２２４、入荷容器回収時刻欄１２２５、出荷容器コード欄１２２６、出荷容器投入時刻欄１２２７、出荷容器積込時刻欄１２２８、出荷物品別総重量欄１２２９等を、さらに備えて構成される。なお、容器別出荷管理データテーブル１２０は、例えば出荷部６６に該当するピッキング制御システム３０のピッキング制御ＤＢ３１に格納されたプログラムに従って、ピッキング制御サーバ３２のプロセッサ等により、関連する情報から算出した情報、または、ピッキング制御出力装置３３のディスプレイに表示する容器別出荷管理データテーブル設定画面（図示せず）に従って、例えばピッキング制御システム３０のピッキング制御入力装置３４のキーボードから操作者により入力された情報を、ピッキング制御ＤＢ３１に格納されたプログラムに従い、ピッキング制御サーバ３２のプロセッサ等により、ピッキング制御ＤＢ３１上に格納するものとする。また、容器別出荷管理データテーブル設定画面（図示せず）は、容器別出荷管理データテーブル１２０と同一形式を有するものとする。さらに、必要に応じて、容器別出荷管理データテーブル１２０の内容に従った容器別出荷管理データテーブル表示画面（図示せず）を、例えばピッキング制御システム３０のピッキング制御出力装置３３、管理システム２０の管理出力装置２３に表示するものとする。なお、容器別出荷管理データテーブル１２０は、管理システム２０側で入力、メモリ格納してもかまわない。また、ピッキング制御システム３０側で入力、格納した情報を、例えばネットワーク１０を介して、管理システム２０側に送信してもかまわないし、管理システム２０側で入力、格納した情報を、ピッキング制御システム３０側に送信してもかまわない。
【００４９】
次に、容器別出荷管理データテーブル１２０に格納する情報について、説明する。容器別出荷管理対象情報欄１２１には、容器別出荷管理の対象となる情報として、例えば「容器別出荷管理  年月日：２０１６．０２．０１  出荷トラックコード：ＳＴ００１−００１２  出荷顧客コード：ＳＫ００１」という情報を格納する。容器別出荷管理欄１２２の、物品コード欄１２２１には例えば「物品コード」、入荷容器コード欄１２２２には例えば「入荷容器コード」、出荷物品個数欄１２２３には例えば「出荷物品個数」、保管庫出庫時刻欄１２２４には例えば「保管庫出庫時刻」、入荷容器回収時刻欄１２２５には例えば「入荷容器回収時刻」、出荷容器コード欄１２２６には例えば「出荷容器コード」、出荷容器投入時刻欄１２２７には例えば「出荷容器投入時刻」、出荷容器積込時刻欄１２２８には例えば「出荷容器積込時刻」、出荷物品別総重量欄１２２９には例えば「出荷物品別総重量」という情報をそれぞれ格納する。さらに物品コード欄１２２１の容器別出荷管理１情報１２３０１には「Ｍ００１」、容器別出荷管理２情報１２３０２には「Ｍ００２」、容器別出荷管理３情報１２３０１には「Ｍ００３」、・・・、という番号を格納する。さらに容器別出荷管理１情報１２３０１の、入荷容器コード欄１２２２には該当する入荷容器コードとして例えば「ＮＹ００１−０００１」、出荷物品個数欄１２２３には例えば該当する出荷物品個数として「１２」、保管庫出庫時刻欄１２２４には例えば該当する出庫時刻として「０８：２４」、入荷容器回収時刻欄１２２５には例えば該当する回収時刻として「０９：３８」、出荷容器コード欄１２２６には例えば該当する出荷容器コードとして「ＳＹ００１−０００１」、出荷容器投入時刻欄１２２７には例えば該当する投入時刻として「０８：３１」、出荷容器積込時刻欄１２２８には例えば該当する積込時刻として「０９：４０」、出荷物品別総重量欄１２２９には、例えば出荷部６６において出荷容器別に総重量を計測し、該計測情報に従って該当する総重量として「２．３Ｋｇ」という情報を、それぞれ格納する。以下、容器別出荷管理１情報１２３０１と同様に、容器別出荷管理２情報１２３０２、容器別出荷管理３情報１２３０３、・・・の各欄にも情報を格納するものとする。なお、上記説明では、容器別出荷管理データテーブル１２０の各欄の格納情報として、例えば、漢字、アルファベット、数字による文字コードを格納しているが、例えば独自に設定したコード等の情報であっても、あるいは、文字コード列に、独自に設定したコード等の情報をさらに付加したものであってもかまわない。
【００５０】
次に、物流施設におけるピッキング作業の概要を、図１３に示すピッキング作業概念図１３０に従って説明する。あらかじめ定められたケースフローラック１３０１は、例えば収納１ケース１３１１、収納２ケース１３１２等から構成され、各入荷容器の下部に示すカッコ内の数字は収納されている物品の個数を示しており、Ｍ００１、Ｍ００２等は物品の種類である。ピッキング作業は、通常、複数の作業者により行われ、例えば、ピッキング作業者１３００は、担当するケースフローラック１３０１に収納された、例えば、入荷容器１７から物品Ｍ００１をピッキングし、配送先別にあらかじめ設定された出荷容器１３０２に収める。
【００５１】
出荷容器１３０２は、コンベア１３０３上を、例えば一定速度で移動し、一定時間経過すると、下流の作業者が、異なった物品に対しピッキング作業を行い、ピッキング作業者１３００は、次の配送先のための出荷容器にピッキングを行うこととなる。また、ピッキング作業者が担当する物品は、例えば、物品Ｍ００１、物品Ｍ００２等複数存在する場合、どの物品を何個ピッキングするか指示する必要がある。この指示は、ケースフローラック１３０１の物品毎に設置された表示器１３０４によって行う。
【００５２】
次に、図１４に従って、ピッキング作業を管理するピッキング管理データテーブル１４０について説明する。ピッキング管理データテーブル１４０は、ピッキング管理年月日欄１４１、ピッキング管理欄１４２、番号欄１４２０、物品情報欄１４２１、当日ピッキング情報欄１４２２、当日入荷容器状態欄１４２３、物品１情報欄１４３０１、物品２情報欄１４３０２、物品３情報欄１４３０３、・・・等から構成される。更に、物品情報欄１４２１は、物品コード欄１４２１１、入荷容器容量欄１４２１２等を、当日ピッキング情報欄１４２２は、ピッキング総数欄１４２２１、入荷容器数欄１４２２２、端数欄１４２２３等を、当日入荷容器状態欄１４２３は、入荷容器１情報欄１４２３１、入荷容器２情報欄１４２３２、入荷容器３情報欄１４２３３、・・・等とを備えている。なお、ピッキング管理データテーブル１４０は、例えばピッキング本体部６４に該当するピッキング制御システム３０のピッキング制御ＤＢ３１に格納されたプログラムに従って、ピッキング制御サーバ３２のプロセッサ等により、関連する情報から算出した情報、または、ピッキング制御出力装置３３のディスプレイに表示するピッキング管理データテーブル設定画面（図示せず）に従って、例えばピッキング制御システム３０のピッキング制御入力装置３４のキーボードから操作者により入力された情報を、ピッキング制御ＤＢ３１に格納されたプログラムに従い、ピッキング制御サーバ３２のプロセッサ等により、ピッキング制御ＤＢ３１上に格納するものとする。また、ピッキング管理データテーブル設定画面（図示せず）は、ピッキング管理データテーブル１４０と同一形式を有するものとする。さらに、必要に応じて、ピッキング管理データテーブル１４０の内容に従ったピッキング管理データテーブル表示画面（図示せず）を、例えばピッキング制御システム３０のピッキング制御出力装置３３、管理システム２０の管理出力装置２３に表示するものとする。なお、ピッキング管理データテーブル１４０は、管理システム２０側で入力、メモリ格納してもかまわない。また、ピッキング制御システム３０側で入力、格納した情報を、例えばネットワーク１０を介して、管理システム２０側に送信してもかまわないし、管理システム２０側で入力、格納した情報を、ピッキング制御システム３０側に送信してもかまわない。
【００５３】
次に、ピッキング管理データテーブル１４０に格納する情報について、説明する。ピッキング管理年月日欄１４１には、ピッキング管理の対象となる年月日情報として、例えば「ピッキング管理  年月日：２０１６．０２．０１」という情報を格納する。ピッキング管理欄１４２の、番号欄１４２０の、物品１情報１４３０１には「１」、物品２情報１４３０２には「２」、物品３情報１４３０１には「３」、・・・という番号を順次格納し、物品情報欄１４２１には「物品情報」、物品コード欄１４２１１には「物品コード」、入荷容器容量欄１４２１２には「入荷容器容量」、当日ピッキング情報欄１４２２には「当日ピッキング情報」、ピッキング総数欄１４２２１には「ピッキング総数」、入荷容器数欄１４２２２には「入荷容器数」、端数欄１４２２３には「端数」、当日入荷容器状態欄１４２３には「当日入荷容器状態」、入荷容器１情報欄１４２３１には「１」、入荷容器２情報欄１４２３２には「２」、入荷容器３情報欄１４２３３には「３」、・・・という情報を、それぞれ格納する。さらに、物品１情報欄１４３０１の物品コード欄１４２１１には、該当する物品コードに関し、例えば「Ｍ００１」、入荷容器容量欄１４２１２には、該当する物品を収納する入荷容器の容量に関し、例えば「２０」、ピッキング総数欄１４２２１には、当日ピッキングする物品別の総数に関し、例えば「１３２」、入荷容器数欄１４２２２には、当日ピッキングする物品別の入荷容器総数に関し、例えば「７」、端数欄１４２２３には、当日ピッキングする物品別の入荷容器に端数の生じる物品数に関し、例えば「１２」、入荷容器１情報欄１４２３１には、該当する物品の入荷容器別の物品数に関し、例えば「２０」、入荷容器２情報欄１４２３２には、該当する物品の入荷容器別の物品数に関し、例えば「２０」、入荷容器３情報欄１４２３３には、該当する物品の入荷容器別の物品数に関し、例えば「２０」、・・・、入荷容器７情報欄１４２３７には、該当する物品の入荷容器別の物品数に関し、例えば「１２」、・・・という情報を、それぞれ格納する。以下、物品１情報欄１４３０１と同様に、物品２情報欄１４３０２、物品３情報欄１４３０３、・・・の各欄にも情報を格納するものとする。なお、上記説明では、ピッキング管理データテーブル１４０の各欄の格納情報として、例えば、漢字、アルファベット、数字による文字コードを格納しているが、例えば独自に設定したコード等の情報であっても、あるいは、文字コード列に、独自に設定したコード等の情報をさらに付加したものであってもかまわない。
【００５４】
次に、当日入荷容器状態欄１４２３の詳細について説明する。上記説明の通り、例えば、１３２個の物品「Ｍ００１」を７個の入荷容器に隙間を空けずに収納する場合、図１４のピッキング管理データテーブル１４０に示す物品「Ｍ００１」の入荷容器１１（図示せず）から入荷容器１６には、物品「M００１」が２０個収納されることから、物品１情報欄１４３０１の入荷容器１情報欄１４２３１から入荷容器６情報欄１４２３６に、「２０」という情報が格納され、最後の入荷容器７情報欄１４２３７には、端数の１２個が収納されることから、入荷容器７情報欄１４２３７には、「１２」という情報を格納する。これらの情報は、実際に入荷容器に収納されている物品数と一致している。これは、各入荷容器に隙間を空けずに物品を収納し、端数は、最後の入荷容器に収納することがあらかじめ定められているものとする。以下同様に、物品２情報欄１４３０２、物品３情報欄１４３０３の、物品Ｍ００２、物品Ｍ００３等についても、該当する情報を格納するものとする。
【００５５】
次に、顧客別ピッキング管理データテーブル１５０について、図１５に従って説明する。顧客別ピッキング管理データテーブル１５０は、顧客別ピッキング管理年月日欄１５１、顧客別ピッキング管理欄１５２、顧客別ピッキング管理１情報欄１５３０１、顧客別ピッキング管理２情報欄１５３０２、顧客別ピッキング管理３情報欄１５３０３、顧客別ピッキング管理４情報欄１５３０４、・・・等から構成される。更に、顧客別ピッキング管理欄１５２には、番号欄１５２１、出荷顧客コード欄１５２２、物品コード欄１５２３、出荷容器コード欄１５２４を、また、物品コード欄１５２３には、物品１コード欄１５２３１、物品２コード欄１５２３２、物品３コード欄１５２３３、物品４コード欄１５２３４、・・・等とを、さらに備えている。なお、顧客別ピッキング管理データテーブル１５０は、例えばピッキング本体部６４に該当するピッキング制御システム３０のピッキング制御ＤＢ３１に格納されたプログラムに従って、ピッキング制御サーバ３２のプロセッサ等により、関連する情報から算出した情報、または、ピッキング制御出力装置３３のディスプレイに表示する顧客別ピッキング管理データテーブル設定画面（図示せず）に従って、例えばピッキング制御システム３０のピッキング制御入力装置３４のキーボードから操作者により入力された情報を、ピッキング制御ＤＢ３１に格納されたプログラムに従い、ピッキング制御サーバ３２のプロセッサ等により、ピッキング制御ＤＢ３１上に格納するものとする。また、顧客別ピッキング管理データテーブル設定画面（図示せず）は、顧客別ピッキング管理データテーブル１５０と同一形式を有するものとする。さらに、必要に応じて、顧客別ピッキング管理データテーブル１５０の内容に従った顧客別ピッキング管理データテーブル表示画面（図示せず）を、例えばピッキング制御システム３０のピッキング制御出力装置３３、管理システム２０の管理出力装置２３に表示するものとする。なお、顧客別ピッキング管理データテーブル１５０は、管理システム２０側で入力、メモリ格納してもかまわない。また、ピッキング制御システム３０側で入力、格納した情報を、例えばネットワーク１０を介して、管理システム２０側に送信してもかまわないし、管理システム２０側で入力、格納した情報を、ピッキング制御システム３０側に送信してもかまわない。
【００５６】
次に、顧客別ピッキング管理データテーブル１５０に格納する情報について、説明する。顧客別ピッキング管理対象年月日欄１５１には、顧客別ピッキング管理の対象となる年月日情報として、例えば「顧客別ピッキング管理  年月日：２０１６．０２．０１」という情報を格納する。顧客別ピッキング管理欄１５２の、番号欄１５２１の、顧客別ピッキング管理１情報１５３０１には「１」、顧客別ピッキング管理２情報１５３０２には「２」、顧客別ピッキング管理３情報１５３０３には「３」、顧客別ピッキング管理４情報１５３０１には「４」、・・・、という番号を順次格納し、出荷顧客コード欄１５２２には「出荷顧客コード」、物品コード欄１５２３には「物品コード」、出荷容器コード欄１５２４には「出荷容器コード」という情報を、それぞれ格納する。さらに、物品コード欄１５２３の物品１コード欄１５２３１、物品２コード欄１５２３２、物品３コード欄１５２３３、・・・には、「Ｍ００１」、「Ｍ００２」、「Ｍ００３」、「Ｍ００４」、・・・という情報を、それぞれ格納する。次に、顧客別ピッキング管理１情報欄１５３０１の、出荷顧客コード欄１５２２には、該当する出荷顧客コードに関し、例えば「ＳＫ００１」という情報を格納し、物品１コード欄１５２３１には、当該する物品の出荷予定物品数に関し、例えば「３」、物品２コード欄１５２３２には、当該する物品の出荷予定物品数に関し、例えば「６」、物品３コード欄１５２３３には、当該する物品の出荷予定物品数に関し、例えば「１」、物品４コード欄１５２３４には、当該する物品の出荷予定物品数に関し、例えば「０」という情報を格納し、さらに、出荷容器コード欄１５２４には、該当する出荷容器コードに関し、例えば「ＳＹ００１−０００１」という情報を、それぞれ格納する。以下、顧客別ピッキング管理１情報欄１５３０１に準じて、顧客別ピッキング管理２情報欄１５３０２、顧客別ピッキング管理３情報欄１５３０３、・・・にも、同様に情報をそれぞれ格納するものとする。これにより、例えば顧客別ピッキング管理１情報欄１５３０１に関しては、出荷顧客コードＳＫ００１向けの出荷容器ＳＹ００１−０００１には、物品Ｍ００１が３個、物品Ｍ００２が６個、物品Ｍ００３が１個、・・・、例えば顧客別ピッキング管理２情報欄１５３０２に関しては、出荷顧客コードＳＫ００２向けの出荷容器ＳＹ００１−０００３には、物品Ｍ００１が４個、物品Ｍ００２が２個、物品Ｍ００３、物品Ｍ００４が０個、・・・、例えば顧客別ピッキング管理３情報欄１５３０３に関しては、出荷顧客コードＳＫ００３向けの出荷容器ＳＹ００１−０００４には、物品Ｍ００１が９個、物品Ｍ００２、物品Ｍ００３、物品Ｍ００４が０個、・・・、顧客別ピッキング管理４情報欄１５３０４に関しては、出荷顧客コードＳＫ００１向けの出荷容器ＳＹ００１−０００２には、物品Ｍ００１、物品Ｍ００２、物品Ｍ００３が０個、物品Ｍ００４が８個、・・・、のように出荷状況に応じて情報が収納されることとなる。特に、顧客別ピッキング管理４情報欄１５３０４には、顧客コード欄１５２２に例えば「ＳＫ００１」、物品１コード欄１５２３１に例えば「０」、物品２コード欄１５２３２に例えば「０」、物品���コード欄１５２３３に例えば「０」、物品４コード欄１５２３４に例えば「８」、出荷容器コード欄１５２４に例えば「ＳＹ００１−０００２」という、該当する情報を格納することになるが、これにより、顧客別ピッキング管理１情報欄１５３０１の出荷顧客コードＳＫ００１と同じ顧客に対し、顧客別ピッキング管理１情報欄１５３０４において、物品Ｍ００４を８個、出荷容器コードＳＹ００１−０００２により出荷することを示している。このように、顧客別ピッキング管理データテーブル１５０によって、出荷容器コード別に出荷状況を管理することができる。なお、上記説明では、顧客別ピッキング管理データテーブル１５０の各欄の格納情報として、例えば、漢字、アルファベット、数字による文字コードを格納しているが、例えば独自に設定したコード等の情報であっても、あるいは、文字コード列に、独自に設定したコード等の情報をさらに付加したものであってもかまわない。
【００５７】
次に、課金管理データテーブル１６０について、図１６に従って説明する。課金管理データテーブル１６０は、課金管理年月日欄１６１、課金管理欄１６２、課金管理１情報欄１６３０１、課金管理２情報欄１６３０２、課金管理３情報欄１６３０３、課金管理４情報欄１６３０４、・・・、さらに、課金管理１情報欄１６３０１は、課金１詳細１情報欄１６３０１１、課金１詳細２情報欄１６３０１２、課金１詳細３情報欄１６３０１３、・・・、等を有し、以下同様に、課金管理２情報欄１６３０２、課金管理３情報欄１６３０３・・・、も課金詳細情報欄を有して構成される。またさらに、課金管理欄１６２には、出荷トラックコード欄１６２０１、出荷場所コード欄１６２０２、トラック専有時間欄１６２０３、出荷容器コード欄１６２０４、出荷容器専有時間欄１６２０５、物品コード欄１６２０６、入荷容器コード欄１６２０７、入荷容器専有時間欄１６２０８、入荷容器保管時間欄１６２０９、ピッキング個数欄１６２１０、ピッキング時間欄１６２１１、入荷トラックコード欄１６２１２、入荷場所コード欄１６２１３、トラック専有時間欄１６２１４、・・・等とを、さらに備えている。なお、課金管理データテーブル１６０は、例えば出荷部６６に該当するピッキング制御システム３０のピッキング制御ＤＢ３１に格納されたプログラムに従って、ピッキング制御サーバ３２により、関連する情報から算出した情報、または、ピッキング制御出力装置３３のディスプレイに表示する課金管理データテーブル設定画面（図示せず）に従って、例えばピッキング制御システム３０のピッキング制御入力装置３４のキーボードから操作者により入力された情報を、ピッキング制御ＤＢ３１に格納されたプログラムに従い、ピッキング制御サーバ３２により、ピッキング制御ＤＢ３１上に格納するものとする。また、課金管理データテーブル設定画面（図示せず）は、課金管理データテーブル１６０と同一形式を有するものとする。さらに、必要に応じて、課金管理データテーブル１６０の内容に従った課金管理データテーブル表示画面（図示せず）を、例えばピッキング制御システム３０のピッキング制御出力装置３３、管理システム２０の管理出力装置２３に表示するものとする。なお、課金管理データテーブル１６０は、管理システム２０側で入力、メモリ格納してもかまわない。また、ピッキング制御システム３０側で入力、格納した情報を、例えばネットワーク１０を介して、管理システム２０側に送信してもかまわないし、管理システム２０側で入力、格納した情報を、ピッキング制御システム３０側に送信してもかまわない。
【００５８】
次に、課金管理データテーブル１６０に格納する情報について、説明する。課金管理年月日欄１６１には、課金管理の対象となる年月日情報として、例えば「課金管理  年月日：２０１６．０２．０１  出荷顧客コード：ＳＫ００１」という情報を格納する。課金管理欄１６２の、出荷トラックコード欄１６２０１には「出荷トラックコード」、出荷場所コード欄１６２０２には「出荷場所コード」、トラック専有時間欄１６２０３には「トラック専有時間」、出荷容器コード欄１６２０４には「出荷容器コード」、出荷容器専有時間欄１６２０５には「出荷容器専有時間」、物品コード欄１６２０６には「物品コード」、入荷容器コード欄１６２０７には「入荷容器コード」、入荷容器専有時間欄１６２０８には「入荷容器専有時間」、入荷容器保管時間欄１６２０９には「入荷容器保管時間」、ピッキング個数欄１６２１０には「ピッキング個数」、ピッキング時間欄１６２１１には「ピッキング時間」、入荷トラックコード欄１６２１２には「入荷トラックコード」、入荷場所コード欄１６２１３には「入荷場所コード」、トラック専有欄１６２１４には「トラック専有時間」、という情報を、それぞれ格納する。次に、具体的な情報として、課金管理１情報欄１６３０１の、出荷トラックコード欄１６２０１には、該当する出荷トラックコードに関し、例えば「ＳＴ００１−００１２」、出荷場所コード欄１６２０２には、該当する出荷場所コードに関し、例えば「ＳＢ００１−０００１」、トラック専有時間欄１６２０３には、該当するトラックが設備を専有時間に関し、例えば「７１分」、さらに、課金管理１情報欄１６３０１の課金１詳細１情報欄１６３０１１の、出荷容器コード欄１６２０４には、該当する出荷容器コードに関し、例えば「ＳＹ００１−０００１」、出荷容器専有時間欄１６２０５には、該当する出荷容器専有時間に関し、例えば「０１：０９」、物品コード欄１６２０６には、該当する物品コードに関し、例えば「Ｍ００１」、入荷容器コード欄１６２０７には、該当する入荷容器コードに関し、例えば「ＮＹ００１−０００１」、入荷容器専有時間欄１６２０８には、該当する入荷容器専有時間に関し、例えば「０１：１４」、入荷容器保管時間欄１６２０９には、該当する入荷容器保管時間に関し、例えば「２０分」、ピッキング個数欄１６２１０には、該当するピッキング個数に関し、例えば「３」、ピッキング時間欄１６２１１には、該当するピッキング時間に関し、例えば「１８秒」、入荷トラックコード欄１６２１２には、該当する入荷トラックコードに関し、例えば「ＮＴ００１−００１２３」、入荷場所コード欄１６２１３には、該当する出荷場所コードに関し、例えば「ＮＢ００１−０００１」、トラック専有欄１６２１４には、該当するトラック専有時間に関し、例えば「５３分」、という情報を、それぞれ格納する。以下同様に、課金管理１情報欄１６３０１、課金管理２情報欄１６３０２、課金管理３情報欄１６３０３、・・・の各欄にも、該当する情報を格納する。なお、上記説明では、課金管理データテーブル１６０の各欄の格納情報として、例えば、漢字、アルファベット、数字による文字コードを格納しているが、例えば独自に設定したコード等の情報であって��、あるいは、文字コード列に、独自に設定したコード等の情報をさらに付加したものであってもかまわない。
【００５９】
次に、賃料基礎データテーブル１７０について、図１７に従って説明する。賃料基礎データテーブル１７０は、賃料基礎管理欄１７１、入荷部欄１７３１、保管部欄１７３２、集品上流部欄１７３３、ピッキング本体部欄１７３４、集品下流部欄１７３５、出荷部欄１７３６、・・・、等により構成される。さらに、賃料基礎管理欄１７１は、設備欄１７１１、月賃料欄１７１２、稼働欄１７１３、１分当り賃料欄１７１４、稼働率５０％１分当り賃料欄１７１５、重量限度欄１７１６、重量割増欄１７１７等とを、さらに備えている。なお、賃料基礎データテーブル１７０は、例えば管理システム２０の管理装置ＤＢ２１に格納されたプログラムに従って、管理装置サーバ２２のプロセッサ等により、関連する情報から算出した情報、または、管理出力装置２３のディスプレイに表示する賃料基礎データテーブル設定画面（図示せず）に従って、例えば管理入力装置２４のキーボードから操作者により入力された情報を、管理装置ＤＢ２１に格納されたプログラムに従い、管理装置サーバ２２のプロセッサ等により、管理装置ＤＢ２１上に格納するものとする。また、賃料基礎データテーブル設定画面（図示せず）は、賃料基礎データテーブル１７０と同一形式を有するものとする。さらに、必要に応じて、賃料基礎データテーブル１７０の内容に従った賃料基礎データテーブル表示画面（図示せず）を、例えば管理システム２０の管理出力装置２３に表示するものとする。なお、賃料基礎データテーブル１７０は、ピッキング制御システム３０側で入力、メモリ格納してもかまわない。また、管理システム２０側で入力、格納した情報を、例えばネットワーク１０を介して、ピッキング制御システム３０側に送信してもかまわないし、ピッキング制御システム３０側で入力、格納した情報を、管理システム２０側に送信してもかまわない。
【００６０】
次に、賃料基礎データテーブル１７０に格納する情報について、説明する。賃料基礎管理欄１７１の、設備欄１７１１の、入荷部欄１７３１には例えば「入荷部」、保管部欄１７３２には例えば「保管部」、集品上流部欄１７３３には例えば「集品上流部」、ピッキング本体部欄１７３４には例えば「ピッキング本体部」、集品下流部欄１７３５には例えば「集品下流部」、出荷部欄１７３６には例えば「出荷部」、・・・という情報を、それぞれ格納する。賃料基礎管理欄１７１の、設備欄１７１１には「設備」、月賃料欄１７１２には「月賃料」、稼働欄１７１３には「稼働」、１分当り賃料欄１７１４には「１分当り賃料」、稼働率５０％１分当り賃料欄１７１５には「稼働率５０％１分当り賃料」、重量限度欄１７１６には「重量限度」、重量割増欄１７１７には「重量割増」という情報を、それぞれ格納する。次に、具体的な情報として、例えば、入荷部欄１７３１の、月賃料欄１７１２には、例えば、入荷部をリース物件としてリースした場合の月ごとの賃料に相当する金額として、例えば「７０万円」、稼働欄１７１３には、基礎稼働として、月２０日、１日１０時間稼働、同時５台処理として、例えば「月２０日１日１０時間、同時５台処理」、１分当り賃料欄１７１４には、該基礎稼働から算出した１分当りの賃料として、例えば「１１．６７円」、稼働率５０％１分当り賃料欄１７１５には、該基礎稼働の５０％稼働時賃料として、算出した１分当りの賃料として、例えば「２３．３４円」、重量限度欄１７１６には、例えば入荷部により取り扱う入荷容器の入荷物品を含む総重量の重量限度として、例えば「１０Ｋｇ」、重量割増欄１７１７には、例えば、該重量限度を超えた場合の割り増し料として、例えば１０キログラムを超えた場合に１キログラム当り１０円加算する場合、例えば「１０Ｋｇ超１Ｋｇ当り１０円」という情報を、それぞれ格納する。以下同様に、保管部欄１７３２、集品上流部欄１７３３、・・・の各欄にも、該当する情報を格納する。また、各設備の月賃料欄１７１２には、各設備の賃料を格納するが、賃料を構成するさまざまな費用等に、例えば利益分を勘案し、設定するものとするとし、例えば、昼間の稼働の他に、夜間に稼働を行う場合には、稼働する時間帯に応じて、例えば電気料金の割り引きや、人件費の割り増し、トラック等の予定時間と実際の時間との差異等により賃料を設定してもかまわない。さらに、電気料金、人件費の他の賃料構成要素についても、稼働条件の違いにより、それぞれの賃料を設定してもかまわない。なお、上記説明では、賃料基礎データテーブル１７０の各欄の格納情報として、例えば、漢字、アルファベット、数字による文字コードを格納しているが、例えば独自に設定したコード等の情報であっても、あるいは、文字コード列に、独自に設定したコード等の情報をさらに付加したものであってもかまわない。
【００６１】
次に、出荷顧客別課金額データテーブル１８０について、図１８に従って説明する。出荷顧客別課金額データテーブル１８０は、出荷顧客別課金額年月日欄１８１、出荷顧客別課金額管理欄１８２、入荷部欄１８３１、保管部欄１８３２、集品上流部欄１８３３、ピッキング本体部欄１８３４、集品下流部欄１８３５、出荷部欄１８３６、・・・、等により構成される。さらに、出荷顧客別課金額管理欄１８２は、設備欄１８２１、稼働率５０％１分当り賃料欄１８２２、時間欄１８２３、賃料欄１８２４、重量割増欄１８２５、合計課金額欄１８２６等とを、さらに備えている。なお、出荷顧客別課金額データテーブル１８０は、例えば管理システム２０の管理装置ＤＢ２１に格納されたプログラムに従って、管理装置サーバ２２のプロセッサ等により、関連する情報から算出した情報、または、管理出力装置２３のディスプレイに表示する出荷顧客別課金額データテーブル設定画面（図示せず）に従って、例えば管理入力装置２４のキーボードから操作者により入力された情報を、管理装置ＤＢ２１に格納されたプログラムに従い、管理装置サーバ２２のプロセッサ等により、管理装置ＤＢ２１上に格納するものとする。また、出荷顧客別課金額データテーブル設定画面（図示せず）は、出荷顧客別課金額データテーブル１８０と同一形式を有するものとする。さらに、必要に応じて、出荷顧客別課金額データテーブル１８０の内容に従った出荷顧客別課金額データテーブル表示画面（図示せず）を、例えば管理システム２０の管理出力装置２３に表示するものとする。なお、出荷顧客別課金額データテーブル１８０は、ピッキング制御システム３０側で入力、メモリ格納してもかまわない。また、管理システム２０側で入力、格納した情報を、例えばネットワーク１０を介して、ピッキング制御システム３０側に送信してもかまわないし、ピッキング制御システム３０側で入力、格納した情報を、管理システム２０側に送信してもかまわない。
【００６２】
次に、出荷顧客別課金額データテーブル１８０に格納する情報について、説明する。出荷顧客別課金額年月日欄１８１には、課金管理の対象となる年月日等の情報として、例えば「出荷顧客別課金額  年月日：２０１６．０２．０１  出荷顧客コード：ＳＫ００１」という情報を格納する。出荷顧客別課金額管理欄１８２の、設備欄１８２１の、入荷部欄１８３１には例えば「入荷部」、保管部欄１８３２には例えば「保管部」、集品上流部欄１８３３には例えば「集品上流部」、ピッキング本体部欄１８３４には例えば「ピッキング本体部」、集品下流部欄１８３５には例えば「集品下流部」、出荷部欄１８３６には例えば「出荷部」という情報を、それぞれ格納する。出荷顧客別課金額管理欄１８２の、設備欄１８２１には「設備」、稼働率５０％１分当り賃料欄１８２２には「稼働率５０％１分当り賃料」、時間欄１８２３には「時間」、賃料欄１８２４には「賃料」、重量割増欄１８２５には「重量割増」、合計課金額欄１８２６には「合計課金額欄」という情報を、それぞれ格納する。次に、具体的な情報として、例えば、入荷部欄１８３１の、稼働率５０％１分当り賃料欄１８２２には、例えば、稼働率５０％１分当りの賃料により算出するものとして、賃料基礎データテーブル１７０の入荷部欄１７３１の稼働率５０％１分当り賃料欄１７１５に格納した情報「２３．３４円」、時間欄１８２３には、例えば、該当する時間として、課金管理データテーブル１６０の課金管理１情報欄１６３０１のトラック専有時間欄１６２０３に格納した情報「７１分」、賃料欄１８２４には、上記「２３．３４円」と「７１分」の積として「１，６５７円」、重量割増欄１８２５には、例えば入荷貨物管理データテーブル８０の入荷容器別総重量欄８２６から、該当する入荷容器別の総重量の合計が、例えば賃料基礎データテーブル１７０の該当する重量限度欄１７１６に格納した重量を超えるか判断し、その結果から例えば「０円」、合計課金額欄１８２６には、上記賃料欄１８２４と重量割増欄１８２５との合計金額として、例えば「１，６５７円」という情報を、それぞれ格納する。以下同様に、保管部欄１８３２、集品上流部欄１８３３、ピッキング本体部欄１８３４、集品下流部欄１８３、出荷部欄１８３６の各欄にも、該当する情報を格納する。また、稼働率５０％１分当り賃料欄１８２２には、稼働率５０％として算出した賃料に関する情報を格納しているが、この欄に、例えば異なった稼働率による賃料を設定することにより、実態に則した賃料の設定することができる。なお、上記説明では、出荷顧客別課金額データテーブル１８０の各欄の格納情報として、例えば、漢字、アルファベット、数字による文字コードを格納しているが、例えば独自に設定したコード等の情報であっても、あるいは、文字コード列に、独自に設定したコード等の情報をさらに付加したものであってもかまわない。
【００６３】
次に、本願に関する一連の処理を示す物流施設処理概要図１９０について、図１９に従って説明する。物流施設処理概要図１９０は、物流施設処理概要管理欄１９１、各設備における処理を示す、入荷部欄１９３１、保管部欄１９３２、集品上流部欄１９３３、ピッキング本体部欄１９３４、集品下流部欄１９３５、出荷部欄１９３６等により構成される。さらに、物流施設処理概要図１９０は、施設欄１９１１、処理欄１９１２等とを、さらに備えている。
【００６４】
次に、物流施設処理概要図１９０に示す具体的な処理内容について、説明する。物流施設においてピッキングされる物品を搬入する入荷トラック１９３１１が８時３分に入荷部欄１９３１に到着し、荷下ろしが９時０分に終了したとすると、該トラックの到着および終了時間を記録するとともに、入荷トラック１９３１１から荷下ろし１９３１２を行い、降ろされた入荷容器１９３２１を保管部１９３２に保管するとともに、保管を開始した時刻を記録する。保管された入荷容器１９３２１は、必要に応じてピッキング本体部１９３４に送られ、保管部１９３２を出た時刻を記録するとともに、物品ピッキング処理１９３４１が行われ、該ピッキング処理された物品個数および時間を集計して記録する。顧客別にピッキング処理された物品は、集品上流部１９３３から顧客別にピッキング本体部１９３４へ送られた出荷容器１９３３１に収納し、出荷部１９３６へ送られる。一方、物品ピッキング処理１９３４１により空となった入荷容器１９３５１は、集品下流部１９３５に送られて回収１９３５２され、最終的に入荷先送付１９３５３される。また、出荷容器１９３３１は、出荷先である顧客にトラックによって搬送された後、最終的に、例えば入荷トラックによって入荷部１９３１に搬送され、集品上流部１９３２に送付１９３１３され、出荷容器回収１９３３３されることとなる。
【００６５】
以上、物流施設処理概要図１９０に本願による処理概要を説明したが、次に、その処理詳細について説明する。入荷部欄１９３１、保管部欄１９３２、集品上流部欄１９３３、ピッキング本体部欄１９３４、集品下流部欄１９３５、集荷部１９３６、・・・等の各設備における使用頻度を顧客別に集計し、施設使用費用を算出する。例えば、入荷部１９３１においては、入荷トラック１９３１１が入荷場所を専有した時間を、例えば入荷トラック管理データテーブル７０の到着時刻欄７２５と終了時刻欄７２６に情報を格納して把握し、この時間を、例えば課金管理データテーブル１６０のトラック専有時間欄１６２１４に格納して課金する。なお、同じ入荷トラックによって、複数の顧客、複数の物品に対し入荷処理する場合には、例えば１台のトラックで搬入した物品の総数で該トラックの入荷部１９３１の専有時間を除し、この結果と同一顧客に１回で搬送した物品の総数との積を求め、その結果を入荷に関する搬入時間として課金してもよい。あるいは、過去の搬入トラックの専有実績等から、例えば１回の平均専有時間を算出し、搬入時間としてもよい。さらに、保管部１９３２における入荷容器保管時間および出荷容器１９３３１の専有時間も、入荷トラック専有時間と同様に、例えば入荷容器保管時間欄１６２０９および入荷容器専有時間欄１６２０８に専有時間を格納し、課金するものとする。なお、ピッキング本体部１９３４における課金は、例えば過去の実績等から、例えば１分間にピッキングした物品数に応じて課金するものとして、ピッキングに要した時間を、例えば課金管理データテーブル１６０のピッキング時間欄１６２１１に格納して、課金するものとする。またさらに、集品上流部１９３３および集品下流部１９３５における課金は、ピッキング等と同様に、過去の実績から、出荷した物品総数を入荷容器および出荷容器で除して、物品１個当りの各容器の平均専有時間を算出し、該平均専有時間と同一顧客に１回で搬送した物品の総数との積を求め、専有時間を求めてもよいが、例えば、過去の実績から、同一顧客に対する１回分の出荷に関し、例えば集品上流部１９３３では一律１８０分、例えば集品下流部１９３５では一律２４０分と時間を設定する。あるいは一定時間における集品上流部１９３３および集品下流部１９３５で取り扱う入荷容器および出荷容器の総数で上記一定時間における賃料相当額を除し、この結果と顧客別の入荷容器および出荷容器の個数との積を求め、課金してもよい。なお、上記入荷容器の個数に関しては、同一入荷容器に複数の顧客へ出荷する物品が収納されている場合は、各顧客に出荷した物品数に従って個数を按分してもよい。さらに、入荷容器１９３２１、出荷容器１９５３１は、同一の容器を使用し、効率の向上を図ってもかまわない。また、各容器を回収するのではなく、それぞれ使い切りの、例えば段ボールによる容器を使用してもかまわない。この場合、各容器の回収費用が、該当する設備の賃料に含まれないが、例えば段ボールの処理に要する費用が加算されることとなる。あるいは、入荷、出荷容器を一切使用しないものとしてもかまわない。
【００６６】
以上、本願において、施設専有時間をもとに施設使用に関する費用算出方法を説明したが、上記算出方法に加え、例えば、入荷時の物品を含む入荷容器の重量を計測して、一定重量を超えた場合には、施設への重量による影響を使用費用に加算してもよい。具体的な方法としては、例えば、各設備における重量制限を算出して賃料基礎データテーブル１７０の重量限度欄１７１６に格納し、上記重量限度を超えた場合の割り増しに関する情報を、例えば重量割増欄１７１７に格納する。上記割り増しに関する情報と、例えば入荷貨物管理データテーブル８０の入荷容器別総重量欄８２６および、例えば容器別出荷管理データテーブル１２０の出荷物品別総重量欄１２２９の格納された各総重量に関する各情報から重量割増額を算出して、例えば出荷顧客別課金額データテーブル１８０の重量割増欄１８２５に格納するものとする。
【００６７】
以上、本願の一実施形態について説明したが、次に、一実施形態の別なる実施形態について、図２０に示す出荷個数課金データテーブル２００に従って説明する。出荷個数課金データテーブル２００は、出荷個数課金年月日欄２０１、出荷個数課金管理欄２０２、入荷部欄２０３１、保管部欄２０３２、集品上流部欄２０３３、ピッキング本体部欄２０３４、集品下流部欄２０３５、出荷部欄２０３６、・・・、等により構成される。さらに、出荷個数課金管理欄２０２は、設備欄２０２１、物品１個当り賃料欄２０２２、出荷個数欄２０２３、賃料欄２０２４等とを、さらに備えている。なお、出荷個数課金データテーブル２００は、例えば管理システム２０の管理装置ＤＢ２１に格納されたプログラムに従って、管理装置サーバ２２のプロセッサ等により、関連する情報から算出した情報、または、管理出力装置２３のディスプレイに表示する出荷個数課金データテーブル設定画面（図示せず）に従って、例えば管理入力装置２４のキーボードから操作者により入力された情報を、管理装置ＤＢ２１に格納されたプログラムに従い、管理装置サーバ２２のプロセッサ等により、管理装置ＤＢ２１上に格納するものとする。また、出荷個数課金データテーブル設定画面（図示せず）は、出荷個数課金データテーブル２００と同一形式を有するものとする。さらに、必要に応じて、出荷個数課金データテーブル２００の内容に従った出荷個数課金データテーブル表示画面（図示せず）を、例えば管理システム２０の管理出力装置２３に表示するものとする。なお、出荷個数課金データテーブル２００は、ピッキング制御システム３０側で入力、メモリ格納してもかまわない。また、管理システム２０側で入力、格納した情報を、例えばネットワーク１０を介して、ピッキング制御システム３０側に送信してもかまわないし、ピッキング制御システム３０側で入力、格納した情報を、管理システム２０側に送信してもかまわない。
【００６８】
次に、出荷個数課金データテーブル２００に格納する情報について、説明する。出荷個数課金年月日欄２０１には、課金管理の対象となる年月日等の情報として、例えば「出荷個数課金  年月日：２０１６．０２．０１  出荷顧客コード：ＳＫ００１」という情報を格納する。出荷個数課金管理欄２０２の、入荷部欄２０３１には例えば「入荷部」、保管部欄２０３２には例えば「保管部」、集品上流部欄２０３３には例えば「集品上流部」、ピッキング本体部欄２０３４には例えば「ピッキング本体部」、集品下流部欄２０３５には例えば「集品下流部」、出荷部欄２０３６には例えば「出荷部」という情報を、それぞれ格納する。出荷個数課金管理欄２０２の、設備欄２０２１には「設備」、物品１個当り賃料欄２０２２には「物品１個当り賃料」、出荷個数欄２０２３には「個数」、賃料欄２０２４には「賃料」という情報を、それぞれ格納する。次に、具体的な情報として、例えば、入荷部欄２０３１の、物品１個当り賃料欄２０２２には、例えば入荷部における一定時間における賃料を、過去の一定時間の入荷部における物品入荷数で除して、物品１個当りの賃料として、例えば１２．３円を算出し、上記算出結果「１２．３円」という情報を格納する。出荷個数欄２０２３には、例えば、該当する出荷した物品個数として、例えば情報「３８９個」、賃料欄２０２４には、上記「１２．３円」と「３８９個」の積として「４，７８５円」、という情報を、それぞれ格納する。以下同様に、保管部欄２０３２、集品上流部欄２０３３、ピッキング本体部欄２０３４、集品下流部欄２０３、出荷部欄２０３６の各欄にも、該当する情報を格納する。なお、上記説明では、出荷個数課金データテーブル２００の各欄の格納情報として、例えば、漢字、アルファベット、数字による文字コードを格納しているが、例えば独自に設定したコード等の情報であっても、あるいは、文字コード列に、独自に設定したコード等の情報をさらに付加したものであってもかまわない。
【００６９】
上記の通り、本願の一実施形態の別なる実施形態においては、同一顧客に１回で搬送した物品の総数をもとに賃料を算出する。なお、同一顧客に１回で搬送した物品総数は、例えば課金管理データテーブル１６０のピッキング個数欄１６２１０に格納したピッキング数等から算出するものとする。さらに、一実施形態の別なる実施形態においても、重量割増を加算してもかまわない。また、上記に示す同一顧客に１回で搬送した物品総数ではなく、同一顧客に１回で搬送した出荷容器総数に従って、物品総数と同様に賃料を算出してもかまわない。さらにまた、一実施形態に従って、重量割増を加算してもかまわない。また、本願の一実施形態および別なる実施形態において、ピッキング個数、出荷容器個数等、数量のみにより課金してもよいし、ピッキング個数、出荷容器個数等、数量により課金するのではなく、物品、容器等の重量のみに従って課金してもかまわない。
【００７０】
さらに、本願の一実施形態においては、1つの企業体が該当する物流施設を使用するものとして説明しているが、例えば、1つの物流施設を複数の企業体が同時に共同で使用してもかまわない。また、例えば入荷場所コード欄７２４に格納する入荷場所に関する情報をもとに、入荷場所による賃料等の違いを算出し、加算してもかまわない。さらに、出荷場所コード欄１１２７に格納する出荷場所に関する情報をもとに、入荷場所コードと同様に、加算してもかまわない。
【００７１】
以上、本願に関する実施例について説明しが、このなかで、設備を「専有」するという記述を行っている部分があるが、本願における物流施設は複数の設備で構成され、かつ、上記の通り、同一設備に複数の企業体が同時にピッキング作業する可能性があるため、厳密には、ある顧客に対する処理が、物流設備全体を専有しない場合がある。そのため、「専有する」とは、部分的にある場所等を「使用する」、あるいは時間等を「要する」という意味をも含むものとする。
【産業上の利用可能性】
【００７２】
本発明は、物流施設のみならず、高額な施設の使用に際し、使用する分に応じ、単純かつ明確な基準によって賃料を算出することを可能し、また、実際の使用実績に従って、例えば賃料の基準を変更することで、施設の使用実績に応じた賃料の設定を可能とする。さらに、本発明は、物流施設のみならず、使用する分に応じた賃料等の請求が求められる施設の運用に適用可能である。
【符号の説明】
【００７３】
１０  ・・・ネットワーク
２０  ・・・管理システム
３０  ・・・ピッキング制御システム
３３０  ・・出力制御装置
３４０  ・・入力制御装置
６０  ・・・設備概要
７０  ・・・入荷トラック管理データテーブル
８０  ・・・入荷貨物管理データテーブル
９０  ・・・保管位置概要図
１００  ・・保管庫管理データテーブル
１１０  ・・出荷管理データテーブル
１２０  ・・容器別出荷管理データテーブル
１３０  ・・ピッキング作業概念図
１４０  ・・ピッキング管理データテーブル
１５０  ・・顧客別ピッキング管理データテーブル
１６０  ・・課金管理データテーブル
１７０  ・・賃料基礎データテーブル
１８０  ・・出荷顧客別課金額データテーブル
１９０  ・・物流施設処理概要図
２００  ・・出荷個数課金データテーブル
【図１】
2019091117.tif 000003
【図２】
2019091117.tif 000004
【図３】
2019091117.tif 000005
【図４】
2019091117.tif 000006
【図５】
2019091117.tif 000007
【図６】
2019091117.tif 000008
【図７】
2019091117.tif 000009
【図８】
2019091117.tif 000010
【図９】
2019091117.tif 000011
【図１０】
2019091117.tif 000012
【図１１】
2019091117.tif 000013
【図１２】
2019091117.tif 000014
【図１３】
2019091117.tif 000015
【図１４】
2019091117.tif 000016
【図１５】
2019091117.tif 000017
【図１６】
2019091117.tif 000018
【図１７】
2019091117.tif 000019
【図１８】
2019091117.tif 000020
【図１９】
2019091117.tif 000021
【図２０】
2019091117.tif 000022